(57)【要約】  ワイヤレスネットワークにおけるワイヤレスデバイスの動作方法は、第１のメッセージをネットワークノードに送信することと、第２のメッセージをネットワークノードに送信することと、を含む。ワイヤレスデバイスと関連付けられた識別子の少なくとも第１の部分と、アクセス及びモビリティ管理（ＡＭＦ）識別子（ＩＤ）の少なくとも第１の部分とを含む第１のメッセージに応答して、第２のメッセージは、ワイヤレスデバイスと関連付けられた識別子の第２の部分と、ＡＭＦ  ＩＤの第２の部分とを含む。【選択図】図１
2021522742.tif 000002
【特許請求の範囲】
【請求項１】
第１のメッセージをネットワークノード（１０６０）に送信すること（４２５）と、
ワイヤレスデバイスと関連付けられた識別子の少なくとも第１の部分と、アクセス及びモビリティ管理（ＡＭＦ）識別子（ＩＤ）の少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ネットワークノードに送信すること（４２５）と、を含む、ワイヤレスネットワーク（１００６）におけるワイヤレスデバイス（１０１０）の動作方法。
【請求項２】
前記第１のメッセージが、前記ワイヤレスデバイスと関連付けられた前記識別子の前記第１の部分及び前記第２の部分を含む、請求項１に記載の方法。
【請求項３】
前記ワイヤレスデバイスと関連付けられた前記識別子が、プリセットされたビット数を含み、前記第１のメッセージが、前記ワイヤレスデバイスと関連付けられた前記識別子と、競合解消を最適化する無作為のビット数（３２０）とを含む、請求項２に記載の方法。
【請求項４】
前記第１のメッセージが、前記ワイヤレスデバイスと関連付けられた前記識別子の前記第１の部分と、前記ＡＭＦ  ＩＤの前記第１の部分及び前記第２の部分とを含む、請求項１に記載の方法。
【請求項５】
前記第２のメッセージが、前記ＡＭＦ  ＩＤの前記第１の部分及び前記第２の部分を含む、請求項１に記載の方法。
【請求項６】
前記ＡＭＦ  ＩＤがＡＭＦセット識別情報とＡＭＦポインタとを含む、請求項４又は５に記載の方法。
【請求項７】
前記第１のメッセージを送信することが、前記ワイヤレスデバイスと関連付けられた前記識別子の第１の所定のビット数を前記第１のメッセージで送信することを含み、前記第２のメッセージを送信することが、前記ワイヤレスデバイスと関連付けられた前記識別子の第２の所定のビット数を前記第２のメッセージで送信することを含む、請求項１から６のいずれか一項に記載の方法。
【請求項８】
前記第１の所定のビット数が約４０ビットを含み、前記第２の所定のビット数が少なくとも８ビットを含む、請求項７に記載の方法。
【請求項９】
前記ワイヤレスデバイスと関連付けられた前記識別子が５Ｇ−Ｓ一時移動体加入者識別情報（５Ｇ−Ｓ−ＴＭＳＩ）である、請求項１から８のいずれか一項に記載の方法。
【請求項１０】
前記ワイヤレスデバイスと関連付けられた前記識別子の長さが、前記第１のメッセージの送信に関して受信したグラントによって決定される限界を超えたことに応答して、前記ワイヤレスデバイスと関連付けられた前記識別子を前記第１のメッセージと前記第２のメッセージとの間で分割すること（４２０）をさらに含む、請求項１から９のいずれか一項に記載の方法。
【請求項１１】
前記第１のメッセージ及び前記第２のメッセージが無線リソース制御（ＲＲＣ）メッセージである、請求項１から１０のいずれか一項に記載の方法。
【請求項１２】
前記第１のメッセージがメッセージ３であり、前記方法が、メッセージ４の前に前記第２のメッセージを送信することをさらに含む、請求項１から１１のいずれか一項に記載の方法。
【請求項１３】
前記第１のメッセージがメッセージ３であり、前記第２のメッセージがメッセージ５である、請求項１から１１のいずれか一項に記載の方法。
【請求項１４】
前記メッセージ３がＲＲＣ要求メッセージに対応し、前記メッセージ５がＲＲＣセットアップ完了メッセージに対応する、請求項１３に記載の方法。
【請求項１５】
第１のメッセージをネットワークノード（１０６０）に送信し（４２５）、
ワイヤレスデバイスと関連付けられた識別子の少なくとも第１の部分と、ＡＭＦ  ＩＤの少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ネットワークノードに送信する（４２５）ように適合された、ワイヤレスネットワーク（１００６）で動作するように設定されたワイヤレスデバイス（１０１０）。
【請求項１６】
ワイヤレスネットワーク（１００６）で動作するように設定されたワイヤレスデバイス（１０１０）であって、
処理回路（１０２０）と、
前記処理回路に結合され、命令が記憶された、デバイス可読媒体（１０３０）とを備え、前記命令が前記処理回路によって実行可能であり、前記処理回路に、
第１のメッセージをネットワークノード（１０６０）に送信させ（４２５）、
ワイヤレスデバイスと関連付けられた識別子の少なくとも第１の部分と、ＡＭＦ  ＩＤの少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ネットワークノードに送信させる（４２５）、ワイヤレスデバイス（１０１０）。
【請求項１７】
ワイヤレスデバイス（１０１０）の処理回路（１０２０）によって実行可能なプログラムコードを含む非一時的デバイス可読記憶媒体を備える、コンピュータプログラム製品であって、前記プログラムコードを前記処理回路が実行することによって、前記ワイヤレスデバイスが、
第１のメッセージをネットワークノード（１０６０）に送信し（４２５）、
前記ワイヤレスデバイスと関連付けられた識別子の少なくとも第１の部分と、ＡＭＦ  ＩＤの少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ネットワークノードに送信する（４２５）、コンピュータプログラム製品。
【請求項１８】
第１のメッセージをワイヤレスデバイス（１０１０）から受信すること（４２５）と、
前記ワイヤレスデバイスと関連付けられた識別子の少なくとも第１の部分と、ＡＭＦ  ＩＤの少なくとも一部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ワイヤレスデバイス（１０１０）から受信すること（４２５）と、を含む、ワイヤレスネットワーク（１００６）におけるネットワークノード（１０６０）の動作方法。
【請求項１９】
前記第１のメッセージが、前記ワイヤレスデバイスと関連付けられた前記識別子の前記第１の部分及び前記第２の部分を含む、請求項１８に記載の方法。
【請求項２０】
前記ワイヤレスデバイスと関連付けられた前記識別子が、プリセットされたビット数を含み、前記第１のメッセージが、前記ワイヤレスデバイスと関連付けられた前記識別子と、競合解消を最適化する無作為のビット数（３２０）とを含む、請求項１９に記載の方法。
【請求項２１】
前記第１のメッセージが、前記ワイヤレスデバイスと関連付けられた前記識別子の前記第１の部分と、前記ＡＭＦ  ＩＤの前記第１の部分及び前記第２の部分とを含む、請求項１８に記載の方法。
【請求項２２】
前記第２のメッセージが、前記ＡＭＦ  ＩＤの前記第１の部分及び前記第２の部分を含む、請求項１８に記載の方法。
【請求項２３】
前記ＡＭＦ  ＩＤがＡＭＦセット識別情報とＡＭＦポインタとを含む、請求項２１又は２２に記載の方法。
【請求項２４】
前記第１のメッセージを受信することが、前記ワイヤレスデバイスと関連付けられた前記識別子の第１の所定のビット数を前記第１のメッセージで受信することを含み、前記第２のメッセージを受信することが、前記ワイヤレスデバイスと関連付けられた前記識別子の第２の所定のビット数を前記第２のメッセージで受信することを含む、請求項１８から２３のいずれか一項に記載の方法。
【請求項２５】
前記第１の所定のビット数が約４０ビットを含み、前記第２の所定のビット数が少なくとも８ビットを含む、請求項２４に記載の方法。
【請求項２６】
前記ワイヤレスデバイスと関連付けられた前記識別子が５Ｇ−Ｓ一時移動体加入者識別情報（５Ｇ−Ｓ−ＴＭＳＩ）である、請求項１８から２５のいずれか一項に記載の方法。
【請求項２７】
前記ワイヤレスデバイスと関連付けられた前記識別子の長さが、前記ネットワークノードが前記第１のメッセージで受信することができる限界を超えたことに応答して、前記ワイヤレスデバイスと関連付けられた前記識別子を前記第１のメッセージと前記第２のメッセージとの間で分割すること（４２０）をさらに含む、請求項１８から２６のいずれか一項に記載の方法。
【請求項２８】
前記第１のメッセージ及び前記第２のメッセージが無線リソース制御（ＲＲＣ）メッセージである、請求項１８から２７のいずれか一項に記載の方法。
【請求項２９】
前記第１のメッセージがメッセージ３であり、前記方法が、メッセージ４の前に前記第２のメッセージを受信することをさらに含む、請求項１８から２８のいずれか一項に記載の方法。
【請求項３０】
前記第１のメッセージがメッセージ３であり、前記第２のメッセージがメッセージ５である、請求項１８から２８のいずれか一項に記載の方法。
【請求項３１】
前記メッセージ３がＲＲＣ要求メッセージに対応し、前記メッセージ５がＲＲＣセットアップ完了メッセージに対応する、請求項３０に記載の方法。
【請求項３２】
ワイヤレスネットワーク（１００６）で動作するように設定されたネットワークノード（１０６０）であって、
第１のメッセージをワイヤレスデバイス（１０１０）から受信し、
前記ワイヤレスデバイスと関連付けられた識別子の少なくとも第１の部分と、ＡＭＦ  ＩＤの少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ワイヤレスデバイス（１０１０）から受信するように適合された、ネットワークノード（１０６０）。
【請求項３３】
ワイヤレスネットワーク（１００６）で動作するように設定されたネットワークノード（１０６０）であって、
処理回路（１０７０）と、
前記処理回路に結合され、命令が記憶された、デバイス可読媒体（１０８０）とを備え、前記命令が前記処理回路によって実行可能であり、前記処理回路に、
第１のメッセージをワイヤレスデバイスから受信させ（４２５）、
前記ワイヤレスデバイスと関連付けられた識別子の少なくとも第１の部分と、ＡＭＦ  ＩＤの少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ワイヤレスデバイスから受信させる（４２５）、ネットワークノード（１０６０）。
【請求項３４】
ネットワークノード（１０６０）の処理回路（１０７０）によって実行可能なプログラムコードを含む非一時的デバイス可読記憶媒体を備える、コンピュータプログラム製品であって、前記プログラムコードを前記処理回路が実行することによって、前記ネットワークノードが、
第１のメッセージをワイヤレスデバイスから受信し（４２５）、
前記ワイヤレスデバイスと関連付けられた識別子の少なくとも第１の部分と、ＡＭＦ  ＩＤの少なくとも第１の部分とを含む前記第１のメッセージに応答して、前記ワイヤレスデバイスと関連付けられた前記識別子の第２の部分と、前記ＡＭＦ  ＩＤの第２の部分とを含む第２のメッセージを、前記ワイヤレスデバイスから受信する（４２５）、コンピュータプログラム製品。
【発明の詳細な説明】
【技術分野】
【０００１】
関連出願の相互参照
本出願は、２０１８年５月１０日付けの米国仮特許出願第６２／６６９，７９０号の利益を主張する。
【０００２】
本開示は、全体として、通信の分野に関し、より詳細には、ワイヤレス通信方法、デバイス、及びネットワークに関する。
【背景技術】
【０００３】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【０００４】
新しい第３世代パートナーシッププロジェクト（３ＧＰＰ）規格５ＧＳには、５Ｇ及び様々な状態機械に関するシステムとアーキテクチャが記載されている。
【０００５】
１つの「状態機械」は、３ＧＰＰ技術仕様（ＴＳ）２３．５０１に記載されている、接続管理状態モデル又はＣＭ状態モデルである。
【０００６】
一般に、接続管理は、ユーザ機器（ＵＥ）とコアネットワークノードとの間のシグナリング接続を確立及び解放する機能を備え、５Ｇでは、このノードはＡＭＦ（アクセス及びモビリティ管理機能）と呼ばれる。
【０００７】
図１は、ノード（たとえば、ＡＭＦ、ＵＥ、（Ｒ）ＡＮ）とインターフェース名とを含む、５Ｇシステムアーキテクチャの一例を示している。接続管理は、図１に示されるように、Ｎ１インターフェースを通したシグナリング接続に関する。
【０００８】
Ｎ１を通したこのシグナリング接続は、ＵＥとコアネットワークとの間の非アクセス階層（ＮＡＳ）シグナリング交換を可能にするのに使用される。それは、ＵＥとＡＮ（アクセスノード）との間のＡＮシグナリング接続、及びＡＮとＡＭＦとの間のＮ２接続の両方を含む。
【０００９】
図２Ａ及び２Ｂも参照すると、図２Ａは、ＵＥにおけるＣＭ状態移行を示す図であり、図２Ｂは、ＡＭＦにおけるＣＭ状態移行を示す図である。ＣＭ−ＩＤＬＥ及びＣＭ−ＣＯＮＮＥＣＴＥＤの２つのＣＭ状態が規定されている。
【００１０】
ＣＭ−ＩＤＬＥのＵＥでは、Ｎ１を通じてＡＭＦに対するＮＡＳシグナリング接続は確立されておらず、このＣＭ状態で、ＵＥは、セル選択／再選択と、公共地上移動体ネットワーク（ＰＬＭＮ）選択とを実施する。それに加えて、アイドル状態のＵＥには、ＡＮシグナリング接続又はＮ２／Ｎ３接続はない。
【００１１】
ＵＥがネットワークに登録され、ＣＭ−ＩＤＬＥの場合、通常、ネットワークからのページングメッセージを聴取し、それに応答するものとする。これは、ＣＭ−ＩＤＬＥでもＵＥは到達可能であることを意味する。ユーザ／ＵＥが開始した場合、ＵＥはサービス要求プロシージャを実施することもできるものとする。
【００１２】
ＣＭ−ＣＯＮＮＥＣＴＥＤのＵＥは、ＵＥとアクセスノード（ＡＮ）との間でＡＮシグナリング接続を確立しているＵＥであり、ＵＥは３ＧＰＰアクセスを通じてＲＲＣ＿ＣＯＮＮＥＣＴＥＤ状態に入っている。この接続を通じて、ＵＥは、最初のＮＡＳメッセージ（たとえば、サービス要求）を送信することができ、このメッセージは、ＡＭＦにおけるＣＭ−ＩＤＬＥからＣＭ−ＣＯＮＮＥＣＴＥＤへの移行を開始する。図１に示されるように、ＣＭ−ＣＯＮＮＥＣＴＥＤは、アクセスノード（ＡＮ）とＡＭＦとの間のＮ２接続を要することがある。最初のＮ２メッセージ（たとえば、Ｎ２初期ＵＥメッセージ）の受信によって、ＡＭＦがＣＭ−ＩＤＬＥからＣＭ−ＣＯＮＮＥＣＴＥＤ状態への移行を開始する。
【００１３】
ＣＭ−ＣＯＮＮＥＣＴＥＤ状態では、ＵＥはデータを送信することができ、ＵＥはＡＮシグナリング接続が解放されればいつでも、ＣＭ−ＩＤＬＥに入ることができるものとする。ＡＭＦは、論理Ｎ１シグナリング接続及びＮ３ユーザプレーン接続が解放されればいつでも、ＣＭ−ＩＤＬＥに入る。
【００１４】
ＡＭＦの場合と同様に、ＡＮ、アクセスネットワークにも状態モデルがある。
【００１５】
本開示の特定の実施形態は、アクセスネットワークノードを指すのに「ｇＮＢ」を使用する。「ｇＮＢ」という用語は、本開示の適用可能性に関する限定としてではなく、一種のアクセスネットワークノードの一例と見なされるものとする。他の実施形態では、ｎｇ−ｅＮＢ又はｅＮＢなど、他のタイプのアクセスネットワークノードを使用することができる。
【００１６】
ｇＮＢにおける１つの状態モデルは、ＲＲＣ状態機械である。図３は、ＲＲＣ状態機械の動作の図である。ＵＥは、ＲＲＣ＿ＣＯＮＮＥＣＴＥＤ、ＲＲＣ＿ＩＮＡＣＴＩＶＥ、又はＲＲＣ＿ＩＤＬＥのいずれかであることができる。図３は、ＲＲＣ状態機械がどのように働くためのものであるか、また状態間でＵＥをトリガ／移行させるのに使用されるメッセージの図である。括弧内の指示（ＳＲＢ０、ＳＲＢ１）は、どのシグナリング無線ベアラを使用してＵＥを状態間で移行させることができるかを示している。図３はまた、移行の原理を示しているが、最終規格において必ずしもすべてのメッセージが同じ名前を有するとは限らない。ＡＮにあるものとＡＭＦにあるものとの異なる状態機械間のマッピングは、ＣＭ−ＣＯＮＮＥＣＴＥＤがＲＲＣ＿ＣＯＮＮＥＣＴＥＤ又はＲＲＣ＿ＩＮＡＣＴＩＶＥにマッピングすることができ、ＣＭ−ＩＤＬＥが常にＲＲＣ＿ＩＤＬＥにマッピングするようなものである。
【００１７】
ＵＥは、ＲＲＣ接続が確立されているとき、ＲＲＣ＿ＣＯＮＮＥＣＴＥＤ状態又はＲＲＣ＿ＩＮＡＣＴＩＶＥ状態のどちらかにある。これが当てはまらない場合、すなわちＲＲＣ接続が確立されていない場合、ＵＥはＲＲＣ＿ＩＤＬＥ状態にある。これらの異なる状態は３ＧＰＰ  ＴＳ  ３８．３３１にさらに記載されている。
【００１８】
ＲＲＣ＿ＩＤＬＥでは、ＵＥは、特定のオケージョンでページングチャネルを聴取するように設定され、セル（再）選択プロシージャを実施し、システム情報を聴取する。
【００１９】
ＲＲＣ＿ＩＮＡＣＴＩＶＥでは、ＵＥはやはりページングチャネルを聴取し、セル（再）選択プロシージャを行うが、それに加えて、ＵＥは設定を維持し、その設定は、必要な際に、たとえばデータがＵＥに到達したときに、ＵＥがデータ送信を開始するのに完全なセットアッププロシージャを必要としないように、ネットワーク側でも保持される。
【００２０】
ＲＲＣ＿ＣＯＮＮＥＣＴＥＤでは、ＵＥとの間でデータの転送が行われ、ネットワークがモビリティを制御する。これは、ＵＥが他のセルへのハンドオーバをいつ行うべきかをネットワークが制御することを意味する。接続状態では、ＵＥは依然としてページングチャネルを監視し、ＵＥはＵＥに対するデータが存在するか否かと関連付けられた制御チャネルを監視する。ＵＥによって、チャネル品質及びフィードバック情報がネットワークに提供され、隣接セル測定が実施され、それらの測定値がネットワークに報告される。
【００２１】
ＵＥがＣＭ−ＣＯＮＮＥＣＴＥＤ及びＲＲＣ＿ＩＮＡＣＴＩＶＥのとき、次のことが当てはまる。
・ＵＥ到達可能性は、コアネットワークからの支援情報を用いて、ＲＡＮによって管理される。
・ＵＥページングはＲＡＮによって管理される。
・ＵＥは、ＵＥのＣＮ（５Ｇ  Ｓ−ＴＭＳＩ）及びＲＡＮ識別子（Ｉ−ＲＮＴＩ）を用いてページングを監視する。
【００２２】
ＡＭＦは、ネットワーク設定に基づいて、支援情報を次世代無線アクセスネットワーク（ＮＧ−ＲＡＮ）に提供して、ＵＥをＲＲＣ  Ｉｎａｃｔｉｖｅ状態に送出することができるか否かをＮＧ−ＲＡＮが決定するのを支援してもよい。
【００２３】
「ＲＲＣ  Ｉｎａｃｔｉｖｅ支援情報」は、たとえば、次のものを含むことができる。
・ＵＥ特有の不連続受信（ＤＲＸ）値、
・以下でＴＡＩリスト（ＴｒａｃｋｉｎｇＡｒｅａＩｄｅｎｔｉｆｉｅｒリスト）と呼ばれる場合がある、ＵＥに提供される登録エリア、
・周期的登録更新タイマー、
・ＡＭＦがＵＥに対して端末開始連結専用（ＭＩＣＯ）モードを有効にしている場合、ＵＥがＭＩＣＯモードにあることの指示、
・ＴＳ  ３８．３０４［５０］に規定されているような、ＲＡＮがＵＥのＲＡＮページングオケージョンを計算することを可能にする、ＵＥ永久識別子からの情報。
【００２４】
上述のＲＲＣ  Ｉｎａｃｔｉｖｅ支援情報は、（新しい）サービングＮＧ−ＲＡＮノードを用いたＮ２活性化中（すなわち、登録、サービス要求、又はハンドオーバの間）にＡＭＦによって提供されて、ＵＥをＲＲＣ  Ｉｎａｃｔｉｖｅ状態に送出することができるか否かをＮＧ  ＲＡＮが決定するのを支援する。ＲＲＣ  Ｉｎａｃｔｉｖｅ状態はＲＲＣ状態機械の一部であり、ＲＲＣ  Ｉｎａｃｔｉｖｅ状態に入る条件を決定するのはＲＡＮ次第である。ＮＡＳプロシージャの結果として、ＲＲＣ  Ｉｎａｃｔｉｖｅ支援情報に含まれるパラメータのいずれかが変更された場合、ＡＭＦは、ＲＲＣ  Ｉｎａｃｔｉｖｅ支援情報をＮＧ−ＲＡＮノードに更新するものとする。
【００２５】
Ｎ２及びＮ３基準点の状態は、ＲＲＣ  Ｉｎａｃｔｉｖｅ状態でＣＭ−ＣＯＮＮＥＣＴＥＤに入るＵＥによって変更されない。ＲＲＣ  Ｉｎａｃｔｉｖｅ状態のＵＥは、ＲＡＮ通知エリア（ＲＮＡ）を認識している。
【００２６】
ＲＲＣ＿ＩＮＡＣＴＩＶＥ状態のＵＥは、ＲＮＡ（ＲＡＮベース通知エリア）を用いて設定することができ、その場合、
・ＲＮＡは、単一又は複数セルをカバーすることができ、ＣＮ登録エリアよりも小さいエリアであり得る。
・ＲＡＮベース通知エリア更新（ＲＮＡＵ）は、ＵＥによって周期的に送出され、ＵＥのセル再選択プロシージャが、設定されたＲＮＡに属さないセルを選択したときにも送出される。
【００２７】
ＲＮＡをどのように設定することができるかについて、いくつかの異なる代替例がある。
・セルのリスト
〇ＵＥに、ＲＮＡを構築するセル（１つ又は複数）の明示的リストが提供される。
・ＲＡＮエリアのリスト
〇ＵＥに、（少なくとも１つの）ＲＡＮエリアＩＤが提供される（ＲＡＮエリアはＣＮ追跡エリアの部分集合である）。
〇セルは、システム情報において（少なくとも１つの）ＲＡＮエリアＩＤをブロードキャストし、それによってＵＥは、セルがどのエリアに属するかを知る。
・ＴＡＩ（追跡エリア識別子）のリスト。ＣＭ−ＩＤＬＥでは、ＵＥ到達可能性を担うのはコアネットワークであり、コアネットワークは、一連の追跡エリア（ＴＡ）によって規定されるＣＮ登録エリアを設定することによってこれを行う。追跡エリア識別子（ＴＡＩ）のリストを通してＵＥのＣＮ登録エリアが設定され、このＣＮ登録エリアは「ＴＡＩリスト」と呼ばれる。
【００２８】
ＲＲＣ  Ｉｎａｃｔｉｖｅ状態でのＣＭ−ＣＯＮＮＥＣＴＥＤへの移行の際、ＮＧ−ＲＡＮは、周期的ＲＡＮ通知エリア更新タイマーが、ＲＲＣ  Ｉｎａｃｔｉｖｅ支援情報に示される周期的登録更新タイマー値の値を考慮に入れるように、ＵＥを設定し、ＵＥに提供されたＲＡＮ通知エリア更新タイマー値よりも長い値を有するガードタイマーを使用する。
【００２９】
周期的ＲＡＮ通知エリア更新ガードタイマーがＲＡＮで時間切れになった場合、ＲＡＮは、ＴＳ  ２３．５０２  ［３］に指定されているようなＡＮ解放プロシージャを開始することができる。
【００３０】
ＵＥがＲＲＣ  Ｉｎａｃｔｉｖｅ状態でＣＭ−ＣＯＮＮＥＣＴＥＤのとき、ＵＥは、ＣＭ−ＩＤＬＥに関してＴＳ  ２３．１２２  ［１７］に規定されているようなＰＬＭＮ選択プロシージャを実施する。
【００３１】
ＵＥがＲＲＣ  Ｉｎａｃｔｉｖｅ状態でＣＭ−ＣＯＮＮＥＣＴＥＤのとき、ＵＥは、次のことによってＲＲＣ接続を再開してもよい。
・アップリンクデータの保留、
・移動体によるＮＡＳシグナリングプロシージャの開始、
・ＲＡＮページングへの応答として、
・ネットワークへのＲＡＮ通知エリアを離れていることの通知、
・周期的ＲＡＮ更新タイマーの時間切れのとき。
【００３２】
再開する場合、ＵＥは、ＵＥの詳細（たとえば、ベアラ、追跡エリア、スライス、セキュリティ証明書／キーなど）を説明するＵＥコンテキストがどこにあるかに関してネットワークノードに通知する、ネットワークに対する識別子を含むので、再開によってＵＥは、再開したときと同様のＲＲＣ＿ＣＯＮＮＥＣＴＥＤ設定に入る。ＵＥコンテキストを提示する識別子は、不活性無線ネットワーク一時的識別子（Ｉ−ＲＮＴＩ）と呼ばれる。ＵＥが一時停止されるとき、すなわちＵＥのＲＲＣ＿ＣＯＮＮＥＣＴＥＤからＲＲＣ＿ＩＮＡＣＴＩＶＥへの移行に関連して、ＵＥにＩ−ＲＮＴＩがネットワークから提供される。ネットワークは、ＵＥをＲＲＣ＿ＩＮＡＣＴＩＶＥに移行するときにＩ−ＲＮＴＩを割り当て、Ｉ−ＲＮＴＩは、ＵＥコンテキストを識別するのに、すなわちＲＲＣ＿ＩＮＡＣＴＩＶＥのままでネットワークにあるＵＥに関して記憶された詳細の識別子として使用される。
【００３３】
上記は主に５Ｇコアネットワークに接続された新無線（ＮＲ）、すなわち５Ｇシステムに関する説明であったが、ＬＴＥが５Ｇシステムに接続するときの状況に等しく適用可能である。したがって、ＬＴＥ無線を無線ネットワークで実行することも可能であるが、エボルブドパケットコア（ＥＰＣ）システムではなく、たとえばＡＭＦに向かうＮ２インターフェースを有する上記によるアーキテクチャを含む、システムに接続する。
【００３４】
かかる状況では、ＮＲに関して上述したのと同じ詳細を有する、ＲＲＣ＿ＩＮＡＣＴＩＶＥも規定される。
【００３５】
次に、ＲＲＣ要求又はＲＲＣ接続要求プロシージャについてさらに詳細に見ていく。ＬＴＥでは、ＲＲＣ接続要求と呼ばれる。ＮＲでは、ＲＲＣ要求と呼ばれる。これらの用語は交換可能に使用されてもよく、どのアクセスが要求されているかを指定してもよい。指定されない場合、上記に規定したようなものとなる。図３のＲＲＣ状態図によって示されるように、このプロシージャは、ＵＥがＲＲＣ＿ＩＤＬＥのときに行われる。
【００３６】
ＵＥにコアネットワークが登録される前のＲＲＣ＿ＩＤＬＥでは、ＵＥは、図４Ａ及び４Ｂに示されるようなシグナリング接続を要求するＲＲＣ要求を送出する必要がある。一般的に、ネットワークに対する要求は、図４Ａ及び４Ｂに示されるように、許可されるか又は拒否される可能性がある。
【００３７】
図４Ａは、成功するプロシージャを示している。図４Ａの第１のメッセージであるＲＲＣ要求メッセージは、３番目のメッセージなので、一般にｍｓｇ３（メッセージ３の略）とも呼ばれる（ｍｓｇ３を送出するのにリソースを要求するもの（ｍｓｇ１）、及びかかるリソースに対するグラントを受信するもの（ｍｓｇ２）の、ＲＲＣを有さない２つのメッセージがある）。続いて、一般に、ＲＲＣセットアップはｍｓｇ４と呼ばれ、ＲＲＣセットアップ完了はｍｓｇ５と呼ばれる。ｍｓｇ３〜５はまた、たとえば再開プロシージャといった、他のプロシージャでも、ＵＥとネットワークとの間の相互作用を示すのに使用されることに留意されたい。したがって、ｍｓｇ３及びｍｓｇ４〜ｍｓｇ５は、単に特定の順序でメッセージを指す、より汎用的な用語である。
【００３８】
この例のプロシージャの目的は、ＲＲＣ接続を確立することである。ＲＲＣ接続の確立にはＳＲＢ１（シグナリング無線ベアラ１）の確立が関与する。プロシージャは、初期ＮＡＳ専用情報／メッセージをＵＥからネットワークに転送するのにも使用される。
【００３９】
ネットワークは次のようにプロシージャを適用する。
・ＲＲＣ接続を確立するとき、
−ＳＲＢ１を確立する。
・ＵＥが再開し、ネットワークがＵＥコンテキストを検索又は検証できないとき。これは、その場合、ＲＲＣ（接続）要求（略して、ＲＲＣ要求）ではなくＲＲＣ再開要求によって開始される。
【００４０】
ＵＥは、ＵＥがＲＲＣ＿ＩＤＬＥにある間に上位レイヤがＲＲＣ接続の確立を要求すると、プロシージャを開始する。
【００４１】
プロシージャを開始する際、ＵＥは、中でも特に、タイマーを開始させ、ＲＲＣ要求メッセージの送信を開始するものとする。
【００４２】
ＵＥは、ＲＲＣメッセージの内容を次のように設定するものとする。
１＞  ｕｅ−Ｉｄｅｎｔｉｔｙを次のように設定する
２＞  上位レイヤが第５世代システム一時的移動加入者識別情報（５Ｇ−Ｓ−ＴＭＳＩ）を提供する場合
３＞  ｕｅ−Ｉｄｅｎｔｉｔｙを上位レイヤから受信した値に設定する
２＞  或いは、
３＞  特定の範囲の乱数値を取り出す
ＵＥが現在のセルの追跡エリアに登録されている場合、上位レイヤが５Ｇ−Ｓ−ＴＭＳＩを提供する。
１＞  上位レイヤから受信された情報に従ってｅｓｔａｂｌｉｓｈｍｅｎｔＣａｕｓｅを設定する。
【００４３】
ＵＥは、ＲＲＣ要求メッセージを送信のために下位レイヤに対して提示するものとする。
【００４４】
当然ながら、識別子以外にも考慮する態様はあるが、本開示の目的のため、いくつかのステップを省略する。
【００４５】
ネットワークノードによる受信及び許可に成功した場合、ＵＥはＲＲＣセットアップメッセージ（ｍｓｇ４）を受信する。セットアップメッセージに応答して、ｍｓｇ５（完了メッセージ）を送出するものとする。このメッセージで、ＵＥはネットワークに対するＮＡＳメッセージを含んでもよい。
【００４６】
ＲＲＣ要求メッセージの形式及び内容は、ＬＴＥ及びＮＲの両方で類似している。
【００４７】
ＲＲＣ要求メッセージのメッセージサイズは、ＮＲ及びＬＴＥの両方で限定される。特に、ＬＴＥの場合、すでに指定されている以上の情報を収めることは不可能であり、したがって、形式の変更は不可能であろう。したがって、より多くのビットを要する、ＲＲＣ要求における情報量を変更するさらなる提案は困難である。これにより、ＬＴＥが５ＧＣに接続されたときの特定の問題が生じることがあるが、それはこの組合せが、ＬＴＥエアインターフェースとＮＲに関する新しい情報を追加する必要性との両方によって制約されることがあるためである。ＮＲにおけるＲＲＣ要求メッセージは新しく、ＬＴＥのような制約を受けていない。
【００４８】
取り上げられている１つの特定の態様は、登録されるとネットワーク上位レイヤ（非アクセス階層）によってＵＥに割り当てられる５Ｇ−Ｓ−ＴＭＳＩコード長さの拡張である。
【００４９】
ＬＴＥの初期のリリースでは、ＬＴＥがＥＰＣのみに接続されたとき、ＩＤは代わりに４０ビット長のＳ−ＴＭＳＩであり、これはＵＥが登録された後のＲＲＣ接続要求メッセージに含まれた。
【００５０】
この４０ビットの制約を有するＬＴＥでは、それ以上に長い識別子フィールドを要求メッセージに含めることは困難となる。
【００５１】
また、ＮＲが対応するｍｓｇ３におけるその識別子のスペースに制限を有することが可能である。より長い識別子をＮＲに含むことが可能となるかはまだ結論が出ていないが、可能となった場合、より長い５Ｇ−Ｓ−ＴＭＳＩに関連する問題がＮＲにも当てはまる。
【００５２】
したがって、５ＧＣに接続された場合にＬＴＥにおけるＲＲＣ接続要求プロシージャに含めることが必要になる５Ｇ−Ｓ−ＴＭＳＩが、たとえば４８ビットに拡張される場合、問題となる。
【００５３】
現在、特定の課題が存在している。上述したように、特に、ＬＴＥのビット制約があるｍｓｇ３／ＲＲＣ接続要求メッセージにマッピングされるときに、識別子５Ｇ−Ｓ−ＴＭＳＩの拡張長さを使用することに関する問題がある。ＬＴＥでは、含まれる識別子は４０ビットであり、それよりも長いものは、ＲＲＣ接続要求を含むメッセージ３に収まらない。
【発明の概要】
【００５４】
本開示の特定の態様及びそれらの実施形態は、これら又は他の課題に対する解決策を提供することができる。特定の実施形態は、４０ビットよりも長い拡張５Ｇ−Ｓ−ＴＭＳＩのシグナリングのための解決策を提供する。
【００５５】
一実施形態によれば、ワイヤレスネットワークにおけるワイヤレスデバイスの動作方法は、第１のメッセージをネットワークノードに送信することと、第２のメッセージをネットワークノードに送信することと、を含む。ワイヤレスデバイスと関連付けられた識別子の少なくとも第１の部分と、アクセス及びモビリティ管理（ＡＭＦ）識別子（ＩＤ）の少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００５６】
別の実施形態によれば、ワイヤレスデバイスはワイヤレスネットワークで動作するように設定される。ワイヤレスデバイスは、第１のメッセージをネットワークノードに送信し、第２のメッセージをネットワークノードに送信するように適合される。ワイヤレスデバイスと関連付けられた識別子の少なくとも第１の部分と、ＡＭＦ  ＩＤの少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００５７】
別の実施形態によれば、ワイヤレスデバイスはワイヤレスネットワークで動作するように設定される。ワイヤレスデバイスは、処理回路と、処理回路に結合されたデバイス可読媒体とを含む。デバイス可読媒体はそれに記憶された命令を含む。命令は、処理回路に第１のメッセージをネットワークノードに送信させ、第２のメッセージをネットワークノードに送信させるように、処理回路によって実行可能である。ワイヤレスデバイスと関連付けられた識別子の少なくとも第１の部分と、ＡＭＦ  ＩＤの少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００５８】
別の実施形態によれば、コンピュータプログラム製品は、ワイヤレスデバイスの処理回路によって実行可能なプログラムコードを含む、非一時的デバイス可読記憶媒体を含む。プログラムコードを処理回路によって実行することによって、ワイヤレスデバイスに、第１のメッセージをネットワークノードに送信させ、第２のメッセージをネットワークノードに送信させる。ワイヤレスデバイスと関連付けられた識別子の少なくとも第１の部分と、ＡＭＦ  ＩＤの少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００５９】
方法、ワイヤレスデバイス、及びコンピュータプログラム製品はさらに、以下の特徴の１つを含むか、１つも含まないか、又は複数含んでもよい。
【００６０】
特定の実施形態では、第１のメッセージは、ワイヤレスデバイスと関連付けられた識別子の第１の部分及び第２の部分を含む。
【００６１】
特定の実施形態では、ワイヤレスデバイスと関連付けられた識別子は、プリセットされたビット数を含み、第１のメッセージは、ワイヤレスデバイスと関連付けられた識別子と、競合解消を最適化する無作為のビット数とを含む。
【００６２】
特定の実施形態では、第１のメッセージは、ワイヤレスデバイスと関連付けられた識別子の第１の部分と、ＡＭＦ  ＩＤの第１の部分及び第２の部分とを含む。
【００６３】
特定の実施形態では、第２のメッセージは、ＡＭＦ  ＩＤの第１の部分及び第２の部分を含む。
【００６４】
特定の実施形態では、ＡＭＦ  ＩＤはＡＭＦセット識別情報とＡＭＦポインタとを含む。
【００６５】
特定の実施形態では、第１のメッセージを送信することは、ワイヤレスデバイスと関連付けられた識別子の第１の所定のビット数を第１のメッセージで送信することを含み、第２のメッセージを送信することは、ワイヤレスデバイスと関連付けられた識別子の第２の所定のビット数を第２のメッセージで送信することを含む。
【００６６】
特定の実施形態では、第１の所定のビット数は約４０ビットを含み、第２の所定のビット数は少なくとも８ビットを含む。
【００６７】
特定の実施形態では、ワイヤレスデバイスと関連付けられた識別子は、５Ｇ−Ｓ一時移動体加入者識別情報（５Ｇ−Ｓ−ＴＭＳＩ）である。
【００６８】
特定の実施形態では、ワイヤレスデバイスと関連付けられた識別子の長さが、第１のメッセージの送信に関して受信したグラントによって決定される限界を超えたことに応答して、ワイヤレスデバイスと関連付けられた識別子を第１のメッセージと第２のメッセージとの間で分割すること。
【００６９】
特定の実施形態では、第１のメッセージ及び第２のメッセージは無線リソース制御（ＲＲＣ）メッセージである。
【００７０】
特定の実施形態では、第１のメッセージはメッセージ３であり、第２のメッセージの送信はメッセージ４の前である。
【００７１】
特定の実施形態では、第１のメッセージはメッセージ３であり、第２のメッセージはメッセージ５である。
【００７２】
特定の実施形態では、メッセージ３はＲＲＣ要求メッセージに対応し、メッセージ５はＲＲＣセットアップ完了メッセージに対応する。
【００７３】
別の実施形態によれば、ワイヤレスネットワークにおけるネットワークノードの動作方法は、第１のメッセージをワイヤレスデバイスから受信することを含む。方法はまた、第２のメッセージをワイヤレスデバイスから受信することを含む。ワイヤレスデバイスと関連付けられた識別子の少なくとも第１の部分と、ＡＭＦ  ＩＤの少なくとも一部分とを含む第１のメッセージに応答して、第２のメッセージは、ワイヤレスデバイスと関連付けられた識別子の第２の部分と、ＡＭＦ  ＩＤの第２の部分とを含む。
【００７４】
別の実施形態によれば、ネットワークノードはワイヤレスネットワークで動作するように設定される。ネットワークノードは、第１のメッセージをワイヤレスデバイスから受信し、第２のメッセージをワイヤレスデバイスから受信するように適合される。ワイヤレスデバイスと関連付けられた識別子の少なくとも第１の部分と、ＡＭＦ  ＩＤの少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００７５】
さらなる実施形態によれば、ネットワークノードはワイヤレスネットワークで動作するように設定される。ネットワークノードは、処理回路と、処理回路に結合されたデバイス可読媒体とを含む。デバイス可読媒体はそれに記憶された命令を含む。命令は、処理回路に第１のメッセージをワイヤレスデバイスから受信させ、第２のメッセージをワイヤレスデバイスから受信させるように、処理回路によって実行可能である。ワイヤレスデバイスと関連付けられた識別子の少なくとも第１の部分と、ＡＭＦ  ＩＤの少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００７６】
別の実施形態によれば、コンピュータプログラム製品は、ネットワークノードの処理回路によって実行可能なプログラムコードを含む、非一時的デバイス可読記憶媒体を含む。プログラムコードを処理回路によって実行することによって、ネットワークノードに、第１のメッセージをワイヤレスデバイスから受信させ、第２のメッセージをワイヤレスデバイスから受信させる。ワイヤレスデバイスと関連付けられた識別子の少なくとも第１の部分と、ＡＭＦ  ＩＤの少なくとも第１の部分とを含む第１のメッセージに応答して、第２のメッセージは、ワイヤレスデバイスと関連付けられた識別子の第２の部分と、ＡＭＦ  ＩＤの第２の部分とを含む。
【００７７】
方法、ネットワークノード、又はコンピュータプログラム製品はさらに、以下の特徴の１つを含むか、１つも含まないか、又は複数含んでもよい。
【００７８】
特定の実施形態では、第１のメッセージは、ワイヤレスデバイスと関連付けられた識別子の第１の部分及び第２の部分を含む。
【００７９】
特定の実施形態では、ワイヤレスデバイスと関連付けられた識別子は、プリセットされたビット数を含み、第１のメッセージは、ワイヤレスデバイスと関連付けられた識別子と、競合解消を最適化する無作為のビット数とを含む。
【００８０】
特定の実施形態では、第１のメッセージは、ワイヤレスデバイスと関連付けられた識別子の第１の部分と、ＡＭＦ  ＩＤの第１の部分及び第２の部分とを含む。
【００８１】
特定の実施形態では、第２のメッセージは、ＡＭＦ  ＩＤの第１の部分及び第２の部分を含む。
【００８２】
特定の実施形態では、ＡＭＦ  ＩＤはＡＭＦセット識別情報とＡＭＦポインタとを含む。
【００８３】
特定の実施形態では、第１のメッセージを受信することは、ワイヤレスデバイスと関連付けられた識別子の第１の所定のビット数を第１のメッセージで受信することを含み、第２のメッセージを受信することは、ワイヤレスデバイスと関連付けられた識別子の第２の所定のビット数を第２のメッセージで受信することを含む。
【００８４】
特定の実施形態では、第１の所定のビット数は約４０ビットを含み、第２の所定のビット数は少なくとも８ビットを含む。
【００８５】
特定の実施形態では、ワイヤレスデバイスと関連付けられた識別子は、５Ｇ−Ｓ一時移動体加入者識別情報（５Ｇ−Ｓ−ＴＭＳＩ）である。
【００８６】
特定の実施形態では、ワイヤレスデバイスと関連付けられた識別子の長さが、ネットワークノードが第１のメッセージで受信することができる限界を超えたことに応答して、ワイヤレスデバイスと関連付けられた識別子を第１のメッセージと第２のメッセージとの間で分割すること。
【００８７】
特定の実施形態では、第１のメッセージ及び第２のメッセージは無線リソース制御（ＲＲＣ）メッセージである。
【００８８】
特定の実施形態では、第１のメッセージはメッセージ３であり、第２のメッセージの受信はメッセージ４の前である。
【００８９】
特定の実施形態では、第１のメッセージはメッセージ３であり、第２のメッセージはメッセージ５である。
【００９０】
特定の実施形態では、メッセージ３はＲＲＣ要求メッセージに対応し、メッセージ５はＲＲＣセットアップ完了メッセージに対応する。
【００９１】
添付図面は、本開示のさらなる理解を提供するとともに本出願の一部を構成するために含まれ、本発明の概念の特定の非限定的実施形態を例証する。
【図面の簡単な説明】
【００９２】
【図１】５Ｇシステムアーキテクチャの一例を示すブロック図である。
【図２Ａ】ＵＥにおけるＣＭ状態移行を示す図である。
【図２Ｂ】ＡＭＦにおけるＣＭ状態移行を示す図である。
【図３】ＲＲＣ状態機械の動作、及び状態間におけるＵＥのトリガ／移行に使用されるメッセージを示す図である。
【図４Ａ】プロシージャが成功しているＵＥからネットワークへのＲＲＣ要求プロシージャを示す図である。
【図４Ｂ】プロシージャが成功していないＵＥからネットワークへのＲＲＣ要求プロシージャを示す図である。
【図５】発明の概念のいくつかの実施形態による５Ｇ対応ワイヤレスネットワークの一例を示す図である。
【図６】発明の概念のいくつかの実施形態による、ワイヤレスデバイス又はＵＥの識別子を送信する方法の一例を示すフローチャートである。
【図７】発明の概念のいくつかの実施形態による、ワイヤレスデバイス又はＵＥの識別子を送信する別の方法の一例を示すフローチャートである。
【図８】発明の概念のいくつかの実施形態による、ワイヤレスデバイス又はＵＥの識別子を送信するさらなる方法の一例を示すフローチャートである。
【図９】アクセスモビリティ管理機能（ＡＭＦ）及び移動体管理エンティティ（ＭＭＥ）に関するグローバル一意一時識別子（ＧＵＴＩ）の長さの比較を示す表である。
【図１０】発明の概念のいくつかの実施形態による、ワイヤレスデバイス（ＵＥとも呼ばれる）を含むワイヤレスネットワークを示すブロック図である。
【図１１】発明の概念のいくつかの実施形態によるＵＥの要素を示すブロック図である。
【図１２】発明の概念のいくつかの実施形態による仮想環境を示すブロック図である。
【図１３】発明の概念のいくつかの実施形態による、中間ネットワークを介してホストコンピュータに接続された通信ネットワークを示す概略図である。
【図１４】発明の概念のいくつかの実施形態による、部分ワイヤレス接続を通じて基地局を介してユーザ機器と通信しているホストコンピュータを示す概略図である。
【図１５】発明の概念のいくつかの実施形態による、ホストコンピュータ、基地局、及びユーザ機器を含む通信システムにおいて実現される方法を示すフローチャートである。
【図１６】発明の概念のいくつかの実施形態による、ホストコンピュータ、基地局、及びユーザ機器を含む通信システムにおいて実現される方法を示すフローチャートである。
【図１７】発明の概念のいくつかの実施形態による、ホストコンピュータ、基地局、及びユーザ機器を含む通信システムにおいて実現される方法を示すフローチャートである。
【図１８】発明の概念のいくつかの実施形態による、ホストコンピュータ、基地局、及びユーザ機器を含む通信システムにおいて実現される方法を示すフローチャートである。
【図１９】発明の概念のいくつかの実施形態によるＵＥの動作を示すフローチャートである。
【図２０】発明の概念のいくつかの実施形態による仮想化装置の一例を示す図である。
【発明を実施するための形態】
【００９３】
本明細書に開示される課題の１つ又は複数に対処する、様々な実施形態が本明細書で提案される。一例として、特定の実施形態では、（５Ｇ−Ｓ−ＴＭＳＩ識別子を完全にｍｓｇ３に含める代わりに）５Ｇ−Ｓ−ＴＭＳＩの一部のみがｍｓｇ３に含まれる。５Ｇ−Ｓ−ＴＭＳＩ識別子の残りは、ｍｓｇ３にはそのための余地がないことがあり、代わりに第２のメッセージ又はｍｓｇ５に含まれる。
【００９４】
上位レイヤによって割り当てられる識別子は、上位レイヤにとって重要であるが、メッセージ５の受信後まで上位レイヤに向かう通信では使用されない。これを、５Ｇ−Ｓ−ＴＭＳＩが使用されるＲＲＣ要求プロシージャに変換して、実際の識別子は、ＲＲＣ要求完了メッセージの受信後まで、上位レイヤに対しては不要であり、したがって、ｍｓｇ３に収まらない部分はメッセージ５に含まれる。
【００９５】
本開示の別の実施形態によれば、完全な５Ｇ−Ｓ−ＴＭＳＩは、メッセージ３の代わりにメッセージ５に含まれる。かかる状況では、識別子をメッセージ４で返して適正なＵＥとのハンドシェークを確実に行う目的で、別の識別子をメッセージ３に含めることが必要である。この他方の識別子は、５Ｇ−Ｓ−ＴＭＳＩの登録及び受信の前に、乱数値として指定される。したがって、本開示の一態様は、ＵＥが登録されておらず、５Ｇ−Ｓ−ＴＭＳＩを受信していないときだけではなく、実際に５Ｇ−Ｓ−ＴＭＳＩを受信している状況でも、乱数値の方策を使用するというものである。
【００９６】
本開示の実施形態によれば、ＬＴＥのＲＲＣ接続要求メッセージのようなビット制約があるメッセージ３であっても、大きい上位レイヤ識別子を管理することができる。
【００９７】
本開示の別の態様によれば、５Ｇ−Ｓ−ＴＭＳＩの分割は、５Ｇ−Ｓ−ＴＭＳＩの特定の部分がｍｓｇ３でシグナリングされ、別の特定の部分がｍｓｇ５で、又はｍｓｇ３の後に送出されるメッセージでシグナリングされるようにして行われる。
【００９８】
メッセージ３の後にシグナリングされる特定の部分は、ＡＭＦ識別情報の部分に対応する。
【００９９】
本開示のこの態様に関連して、メッセージ３でシグナリングされる５Ｇ−Ｓ−ＴＭＳＩの部分は、乱数列と組み合わされる。
【０１００】
本開示の別の態様に関連して、ｍｓｇ３でシグナリングされる５Ｇ−Ｓ−ＴＭＳＩの部分は、ＡＭＦポインタと５Ｇ−ＴＭＳＩの一部分との組合せである。
【０１０１】
特定の実施形態は、以下の技術的利点の１つ又は複数を提供してもよい。本開示の利点は、５ＧＳ及び５Ｇコアネットワークに接続されたＮＲ及びＬＴＥの両方が、より長い５Ｇ−Ｓ−ＴＭＳＩ、たとえば４８ビットを管理できることである。
【０１０２】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。追加の情報が、付表において提供される文献に見出されることもある。
【０１０３】
図５は、ノード１００及び１１０がそれぞれサーブする、２つの異なるセル１０５、１１５を示している。それらは両方とも５Ｇシステム１２５に接続される。ノード１００は、ＬＴＥエアインターフェースを通してアクセスを提供するｎｇ−ｅＮＢであり、ノード１１０は、ＮＲエアインターフェースを通してアクセスを提供するｇＮＢである。セル１０５及び１１５で使用される無線スペクトルは同じであるか又は異なることができる。さらに、スペクトル帯は同じであっても又は異なってもよい。たとえば、セル１０５は、２ＧＨｚスペクトルレジームの帯域を利用してもよく、セル１１５は、３．５、５、６、２８、６０ＧＨｚ帯など、他の帯域のスペクトルを通してアクセスを提供してもよい。
【０１０４】
ワイヤレスデバイス（ＵＥ  １０）は、セル１１５からセル１０５へ移動するものとして、図５に示されている。ＵＥがどの状態にあるかに応じて、ＵＥがセル１０５に入るときに異なることが起こる。本開示は、ＵＥに５Ｇ−Ｓ−ＴＭＳＩが割り当てられるときの状態について考察する。
【０１０５】
ｇＮＢを介したアクセス（ＮＲ）又はｎｇ−ｅＮＢを介したアクセス（ＬＴＥ）のどちらによってかに関わらず、ＵＥが最初のＲＲＣ接続要求の実施に成功しており、５Ｇシステムに登録するように管理されているとき、５Ｇ−Ｓ−ＴＭＳＩが割り当てられる。
【０１０６】
この５Ｇ−Ｓ−ＴＭＳＩは、ネットワークと通信するときにＵＥを識別するのに使用されることが意図される。
【０１０７】
本発明の一実施形態では、ｎｇ−ｅＮＢのみを通してアクセスすることによって４０ビットの識別子が可能になる。ＵＥに割り当てられた５Ｇ−Ｓ−ＴＭＳＩが４０ビットよりも大きい場合、ＵＥは以下のことを行う。
【０１０８】
ＵＥからｎｇ−ｅＮＢに送出されるＲＲＣ接続要求メッセージの準備に関連して、ＵＥは５Ｇ−Ｓ−ＴＭＳＩの部分を含む。一例では、識別子の限界と同じ４０ビットを含む。含める正確なビットは、ＵＥとネットワークノードとの間で合意されてもよく、或いは、５Ｇ−Ｓ−ＴＭＳＩを分割する場合に特定の方法が使用されるように標準化されてもよく、たとえば、最上位ビット又は最下位ビットがｍｓｇ３に含まれるように選択されてもよい。
【０１０９】
さらに、ＵＥは、メッセージ４でセットアップメッセージを受信した後にＵＥからネットワークに送信される、後続のメッセージ５に残りのメッセージを含める。
【０１１０】
図６は、ＵＥ側のプロシージャを示している。ステップ２１０で、ＵＥにおいて、たとえば５ＧＣに接続されたＬＴＥにおいて、ＲＲＣ接続要求メッセージを送出する前にチェックが行われる。ステップ２１０で、ワイヤレスデバイスと関連付けられた識別子（この場合、５Ｇ−Ｓ−ＴＭＳＩ）が限界よりも大きい場合、分割が行われる（２２０）か、或いは識別子が完全な形で使用される（２３０）べきである。次のステップ２２５で、ＵＥは２つの部分を、１つの部分（部分１）をｍｓｇ３で、また１つの部分（部分２）をｍｓｇ５で送信する。
【０１１１】
ワイヤレスデバイスと関連付けられた識別子が分割識別子である場合、これに関する指示もｍｓｇ５に挿入されてもよい（選択肢がある場合）。
【０１１２】
或いは、要求メッセージは、識別子が分割識別子であるという指示を含んでもよい。
【０１１３】
ネットワークノードにおいて、５Ｇ−Ｓ−ＴＭＳＩは再アセンブルされ、特定のＵＥからの通信を識別するのに、ネットワーク１２５に対する通信に用いられ／含まれる。
【０１１４】
本発明の別の態様によれば、図７に示されるように、ＵＥは代わりに、ＲＲＣ接続要求、セットアップ、及び完了のプロシージャを実施するとき、ネットワークによってメッセージ５に、上位レイヤから受信した完全な識別子を含めることを選択してもよい。
【０１１５】
本開示の別の態様によれば、必ずしもｍｓｇ３にスペースが足りないときにｍｓｇ５まで待つ必要があるとは限らない。ｍｓｇ３に必要なビットを収める十分な余地がない場合のみ使用する、ｍｓｇ３．５と呼ばれる追加のメッセージを含むことが等しく可能であってもよい。これは、本開示の代替実施形態として示される。
【０１１６】
図８は、ワイヤレスデバイス又はＵＥと関連付けられた識別子の第２の部分がｍｓｇ３に続くメッセージで送出される、本開示による実施形態を示している。
【０１１７】
本開示の別の態様によれば、ワイヤレスデバイス又はＵＥ（５Ｇ−Ｓ−ＴＭＳＩ）と関連付けられた識別子の部分１及び部分２への分割は、以下のプロシージャに従う。
【０１１８】
５Ｇ−Ｓ−ＴＭＳＩは、次式に従う他の一連の識別子から構築される。
＜５Ｇ−Ｓ−ＴＭＳＩ＞：＝＜ＡＭＦセットＩＤ＞＜ＡＭＦポインタ＞＜５Ｇ−ＴＭＳＩ＞
【０１１９】
異なる識別子の長さは次の通りである。
ＡＭＦセットＩＤ  −１２ビット
ＡＭＦポインタ  −４ビット
５Ｇ−ＴＭＳＩ  −３２ビット
【０１２０】
獲得すべきＡＳコンテキストがないとき、セットアップ要求において識別子をとにかくｍｓｇ３に含めるという重要な態様は、主に、衝突を回避すること、すなわち競合解消の目的である。上述したように、乱数値又は５Ｇ−Ｓ−ＴＭＳＩの一部のどちらかであることができる。
【０１２１】
５Ｇ−Ｓ−ＴＭＳＩの分割は競合解消の観点から考慮されるので、本開示の別の実施形態に従って、ｍｓｇ３の４０ビットフィールドを維持することを提案する。このことは、４０ビット識別子に基づいてすでに計算されているので、競合解消のためにＭＡＣ  ＣＥに対して何も変更する必要がないことを意味する。
【０１２２】
次に対処する課題は、どの４０ビットをｍｓｇ３の部分１に含めるべきか、及びどのビットをｍｓｇ５又はｍｓｇ３の後に来るメッセージ、たとえばｍｓｇ３．５に残すべきかである。
【０１２３】
図９は、アクセスモビリティ管理機能（ＡＭＦ）及び移動体管理エンティティ（ＭＭＥ）に関するグローバル一意一時識別子（ＧＵＴＩ）の長さの比較を示す表である。図９では、５Ｇ−ＴＭＳＩ及びＭ−ＴＭＳＩは、同じ長さのものであり、ＡＭＦ／ＭＭＥによって割り当てられる。５Ｇ−ＴＭＳＩ及びＭ−ＴＭＳＩに加えて、ＭＭＥコード及びＡＭＦポインタ、並びに場合によってはＡＭＦセットＩＤの部分がある。
【０１２４】
ＭＭＥコードは、恐らくは非常に多くのＵＥのものに対して同じなので、競合解消の成功に多くは寄与しない可能性が最も高い。競合の成功の観点から、５Ｇ−ＴＭＳＩ及びＭ−ＴＭＳＩはｍｓｇ３に関して重要である。
【０１２５】
本開示の一態様によれば、５Ｇ−ＴＭＳＩは第１のメッセージ又はｍｓｇ３の一部である。しかしながら、５Ｇ−ＴＭＳＩはわずか３２ビットであり、競合解消の観点から、４０ビットを含むことが可能であって望ましい。したがって、４０ビットを達成し、また競合解消の成功を最適化するため、ｍｓｇ３の一部として８ビットの乱数値が含まれる。
【０１２６】
一態様によれば、第１のメッセージ又はｍｓｇ３の部分１は、５Ｇ−ＴＭＳＩ（３２ビット）＋乱数（８ビット）から成る。
【０１２７】
本開示の別の態様では、またたとえば、経路指定の目的で、又はたとえばＡＭＦの負荷制御を行うことができる目的で、ＡＭＦ識別情報の早い指示を得るのにより重要と見なされることがある状況では、別のビットセットを選択することが可能であろう。本開示の別の態様によれば、ｍｓｇ３での送信の部分１として、以下を含むことが可能であろう。
ＡＭＦセットＩＤ  １２ビット
ＡＭＦポインタ  ４ビット
５Ｇ−ＴＭＳＩの部分  ２４ビット
【０１２８】
第２のメッセージで、たとえばｍｓｇ３．５又はｍｓｇ５又は少なくともｍｓｇ．３に続くメッセージで送出される部分２では、５Ｇ−ＴＭＳＩの最後の８ビットを含むことが可能であろう。一般的に、ビットは、最下位ビット若しくは最上位ビットであることができ、又は５Ｇ−ＴＭＳＩの３２ビット値における任意の所定のビットであることができる。
【０１２９】
本開示のこの実施形態の利点は、すでにｍｓｇ３の直後にあるＡＭＦの早い識別を可能にすることであり、またたとえば、ＡＭＦが過負荷になっていると判断された場合に、ｍｓｇ３の受信時にすでに、早期の過負荷制御を行うとともに場合によってはＵＥを拒否することが可能であろう。もたらされるトレードオフは、部分１のＡＭＦ部分、ＡＭＦセットＩＤ、及びＡＭＦポインタが、多くのＵＥのものに対して同じである可能性が高く、そのため、競合解消識別情報の一部として最適ではないことである。しかしながら、ＡＭＦの早期の識別子を得ることによる利点と比較して考慮されるべきである。
【０１３０】
本明細書に記載する方法は、５Ｇコアネットワークに接続するときの、ＬＴＥ無線アクセスを用いた、並びにＮＲ無線アクセスを用いたｍｓｇ３の送信両方に適用可能である。識別子の分割は、特定のアクセスによって制限されるのではなく識別子のスペースが足りないときに、重要であると見なされる。
【０１３１】
本明細書に記載の主題は、任意の適切な構成要素を使用する任意の適切なタイプのシステムにおいて実装され得るが、本明細書で開示される実施形態は、図１０に示された例示的ワイヤレスネットワークなど、ワイヤレスネットワークに関連して説明される。簡単にするために、図１０のワイヤレスネットワークは、ネットワーク１００６、ネットワークノード１０６０及び１０６０ｂ、並びにＷＤ１０１０、１０１０ｂ、及び１０１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１０６０及びワイヤレスデバイス（ＷＤ）１０１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【０１３２】
ワイヤレスネットワークは、任意のタイプの通信、通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又はプロシージャに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【０１３３】
ネットワーク１００６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【０１３４】
ネットワークノード１０６０及びＷＤ１０１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【０１３５】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【０１３６】
図１０において、ネットワークノード１０６０は、処理回路１０７０、デバイス可読媒体１０８０、インターフェース１０９０、補助機器１０８４、電源１０８６、電力回路１０８７、及びアンテナ１０６２を含む。図１０の例示的ワイヤレスネットワークに示されたネットワークノード１０６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１０６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１０８０は、複数の別個のハードドライブ並びに複数のＲＡＭモジュールを備え得る）。
【０１３７】
同様に、ネットワークノード１０６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１０６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１０６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１０８０）、いくつかの構成要素は再使用され得る（たとえば、同じアンテナ１０６２がＲＡＴによって共用され得る）。ネットワークノード１０６０はまた、たとえば、ＧＳＭ、ＷＣＤＭＡ、ＬＴＥ、ＮＲ、ＷｉＦｉ、又はブルートゥースワイヤレス技術など、ネットワークノード１０６０に統合された異なるワイヤレス技術のための様々な図示された構成要素の複数のセットを含み得る。これらのワイヤレス技術は、ネットワークノード１０６０内の同じ又は異なるチップ又はチップのセット及び他の構成要素内に統合され得る。
【０１３８】
処理回路１０７０は、ネットワークノードによって提供されているものとして本明細書に記載された任意の判定、計算又は類似の動作（たとえば、ある種の取得動作）を実行するように設定される。処理回路１０７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１０７０によって取得された情報を処理すること、並びに前記処理の結果として判定を行うことを含み得る。
【０１３９】
処理回路１０７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１０８０などの他のネットワークノード１０６０構成要素と併せて、ネットワークノード１０６０機能を提供するように動作可能なハードウェア、ソフトウェア及び／又は符号化されたロジックの組合せを備え得る。たとえば、処理回路１０７０は、デバイス可読媒体１０８０に又は処理回路１０７０内のメモリに記憶された命令を実行し得る。そのような機能性は、本明細書で論じられる様々なワイヤレス特徴、機能、又は利益のいずれかの提供を含み得る。一部の実施形態では、処理回路１０７０は、システムオンチップ（ＳＯＣ）を含み得る。
【０１４０】
一部の実施形態では、処理回路１０７０は、無線周波数（ＲＦ）トランシーバ回路１０７２及びベースバンド処理回路１０７４のうちの１つ又は複数を含み得る。一部の実施形態では、無線周波数（ＲＦ）トランシーバ回路１０７２及びベースバンド処理回路１０７４は、別個のチップ（又はチップのセット）、ボード、又は、無線ユニット及びデジタルユニットなどのユニット上でもよい。代替実施形態において、ＲＦトランシーバ回路１０７２及びベースバンド処理回路１０７４の一部又はすべては、同じチップ又はチップのセット、ボード、又はユニット上でもよい。
【０１４１】
ある種の実施形態では、ネットワークノード、基地局、ｅＮＢ又は他のそのようなネットワークデバイスによって提供されているものとしての本明細書に記載の機能性の一部又はすべては、デバイス可読媒体１０８０又は処理回路１０７０内のメモリに記憶された命令を実行する処理回路１０７０によって実行され得る。代替実施形態において、機能性のうちの一部又はすべては、ハードワイヤード方式などで、別個の又はディスクリートデバイスの可読媒体に記憶された命令を実行することなしに処理回路１０７０によって提供され得る。それらの実施形態のいずれにおいてでも、デバイス可読記憶媒体に記憶された命令を実行してもしなくても、処理回路１０７０は、記載された機能を実行するように設定することができる。そのような機能によってもたらされる利益は、単独で処理回路１０７０に又はネットワークノード１０６０の他の構成要素に制限されないが、ネットワークノード１０６０全体によって、並びに／或いは一般にエンドユーザ及びワイヤレスネットワークによって享受される。
【０１４２】
デバイス可読媒体１０８０は、処理回路１０７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１０８０は、コンピュータプログラム、ソフトウェア、ロジック、ルール、コード、テーブルなどのうちの１つ又は複数を含むアプリケーション、及び／又は処理回路１０７０によって実行することができる及びネットワークノード１０６０によって使用することができる他の命令を含む、任意の適切な命令、データ又は情報を記憶し得る。デバイス可読媒体１０８０は、処理回路１０７０によって行われる任意の計算及び／又はインターフェース１０９０を介して受信される任意のデータを記憶するために使用され得る。一部の実施形態では、処理回路１０７０及びデバイス可読媒体１０８０は、統合されると考えられ得る。
【０１４３】
インターフェース１０９０は、ネットワークノード１０６０、ネットワーク１００６、及び／又はＷＤ１０１０の間のシグナリング及び／又はデータのワイヤード又はワイヤレス通信において使用される。図示されているように、インターフェース１０９０は、たとえば、ワイヤード接続を介してネットワーク１００６に及びネットワーク１００６から、データを送信及び受信するために、ポート／端末１０９４を備える。インターフェース１０９０はまた、アンテナ１０６２に連結され得る又はある種の実施形態においてアンテナ１０６２の一部であることがある、無線フロントエンド回路１０９２を含む。無線フロントエンド回路１０９２は、フィルタ１０９８及び増幅器１０９６を備える。無線フロントエンド回路１０９２は、アンテナ１０６２及び処理回路１０７０に接続され得る。無線フロントエンド回路は、アンテナ１０６２と処理回路１０７０との間で通信される信号を調整するように設定され得る。無線フロントエンド回路１０９２は、ワイヤレス接続を介して他のネットワークノード又はＷＤに送出されることになるデジタルデータを受信し得る。無線フロントエンド回路１０９２は、フィルタ１０９８及び／又は増幅器１０９６の組合せを使用する適切なチャネル及び帯域幅パラメータを有する無線信号にデジタルデータを変換し得る。無線信号は、次いで、アンテナ１０６２を介して送信され得る。同様に、データを受信するとき、アンテナ１０６２は、次いで無線フロントエンド回路１０９２によってデジタルデータに変換される無線信号を収集し得る。デジタルデータは、処理回路１０７０に渡され得る。他の実施形態において、インターフェースは、異なる構成要素及び／又は異なる組合せの構成要素を備え得る。
【０１４４】
ある種の代替実施形態において、ネットワークノード１０６０は、別個の無線フロントエンド回路１０９２を含まないことがあり、代わりに、処理回路１０７０が、無線フロントエンド回路を備え得、別個の無線フロントエンド回路１０９２なしにアンテナ１０６２に接続され得る。同様に、一部の実施形態では、すべての又は一部のＲＦトランシーバ回路１０７２は、インターフェース１０９０の一部と考えられ得る。さらに他の実施形態において、インターフェース１０９０は、１つ又は複数のポート又は端末１０９４、無線フロントエンド回路１０９２、並びにＲＦトランシーバ回路１０７２、無線ユニット（図示せず）の一部としての、を含み得、そして、インターフェース１０９０は、デジタルユニット（図示せず）の一部であるベースバンド処理回路１０７４と通信し得る。
【０１４５】
アンテナ１０６２は、ワイヤレス信号を送信及び／又は受信するように設定された、１つ又は複数のアンテナ、又はアンテナアレイを含み得る。アンテナ１０６２は、無線フロントエンド回路１０９２に結合され得、ワイヤレスにデータ及び／又は信号を送信及び受信する能力を有する任意のタイプのアンテナでもよい。一部の実施形態では、アンテナ１０６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１０６２は、ネットワークノード１０６０とは別個でもよく、インターフェース又はポートを介してネットワークノード１０６０に接続可能になり得る。
【０１４６】
アンテナ１０６２、インターフェース１０９０、及び／又は処理回路１０７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１０６２、インターフェース１０９０、及び／又は処理回路１０７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【０１４７】
電力回路１０８７は、電力管理回路を備え得る、又はこれに連結され得、本明細書に記載の機能性を実行するための電力をネットワークノード１０６０の構成要素に供給するように設定される。電力回路１０８７は、電源１０８６から電力を受信し得る。電源１０８６及び／又は電力回路１０８７は、それぞれの構成要素に適した形でネットワークノード１０６０の様々な構成要素に電力を提供する（たとえば、それぞれの構成要素のために必要とされる電圧及び電流レベルで）ように設定され得る。電源１０８６は、電力回路１０８７及び／又はネットワークノード１０６０に含まれても、これらの外部でもよい。たとえば、ネットワークノード１０６０は、電気ケーブルなどの入力回路又はインターフェースを介して外部電源（たとえば、電気コンセント）に接続可能になり得、それにより、外部電源が電力回路１０８７に電力を供給する。さらなる例として、電源１０８６は、電力回路１０８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【０１４８】
ネットワークノード１０６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１０に示されたものを超える追加の構成要素を含み得る。たとえば、ネットワークノード１０６０は、ネットワークノード１０６０への情報の入力を可能にするために、及びネットワークノード１０６０からの情報の出力を可能にするために、ユーザインターフェース機器を含み得る。これは、ネットワークノード１０６０のための診断、メンテナンス、修理、及び他の管理機能をユーザが実行することを可能にし得る。
【０１４９】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末���も称され得る。
【０１５０】
図示されているように、ワイヤレスデバイス１０１０は、アンテナ１０１１、インターフェース１０１４、処理回路１０２０、デバイス可読媒体１０３０、ユーザインターフェース機器１０３２、補助機器１０３４、電源１０３６及び電力回路１０３７を含む。ＷＤ１０１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１０１０によってサポートされる異なるワイヤレス技術のための、図示された構成要素のうちの１つ又は複数の構成要素の複数のセットを含み得る。これらのワイヤレス技術は、ＷＤ１０１０内の他の構成要素と同じ又は異なるチップ又はチップのセットに統合され得る。
【０１５１】
アンテナ１０１１は、ワイヤレス信号を送信及び／又は受信するように設定された１つ又は複数のアンテナ又はアンテナアレイを含み得、インターフェース１０１４に接続される。ある種の代替実施形態において、アンテナ１０１１は、ＷＤ１０１０とは別個でもよく、インターフェース又はポートを介してＷＤ１０１０に接続可能になり得る。アンテナ１０１１、インターフェース１０１４、及び／又は処理回路１０２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１０１１は、インターフェースと考えられ得る。
【０１５２】
図示されているように、インターフェース１０１４は、無線フロントエンド回路１０１２及びアンテナ１０１１を備える。無線フロントエンド回路１０１２は、１つ又は複数のフィルタ１０１８及び増幅器１０１６を備える。無線フロントエンド回路１０１２は、アンテナ１０１１及び処理回路１０２０に接続され、アンテナ１０１１と処理回路１０２０との間で通信される信号を調整するように設定される。無線フロントエンド回路１０１２は、アンテナ１０１１に連結され得る、又はアンテナ１０１１の一部でもよい。一部の実施形態では、ＷＤ１０１０は、別個の無線フロントエンド回路１０１２を含まないことがあり、そうではなくて、処理回路１０２０は、無線フロントエンド回路を備え得、アンテナ１０１１に接続され得る。同様に、一部の実施形態では、ＲＦトランシーバ回路１０２２の一部又はすべては、インターフェース１０１４の一部と考えられ得る。無線フロントエンド回路１０１２は、ワイヤレス接続を介して他のネットワークノード又はＷＤに送出されることになるデジタルデータを受信し得る。無線フロントエンド回路１０１２は、フィルタ１０１８及び／又は増幅器１０１６の組合せを使用して適切なチャネル及び帯域幅パラメータを有する無線信号にデジタルデータを変換し得る。無線信号は、次いで、アンテナ１０１１を介して送信され得る。同様に、データを受信しているとき、アンテナ１０１１は、次いで無線フロントエンド回路１０１２によってデジタルデータに変換される、無線信号を収集し得る。デジタルデータは、処理回路１０２０に渡され得る。他の実施形態において、インターフェースは、異なる構成要素及び／又は異なる組合せの構成要素を備え得る。
【０１５３】
処理回路１０２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１０３０などの他のＷＤ１０１０構成要素と連動して、ＷＤ１０１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１０２０は、本明細書で開示される機能性を提供するために、デバイス可読媒体１０３０に又は処理回路１０２０内のメモリに記憶された命令を実行し得る。
【０１５４】
図示されているように、処理回路１０２０は、ＲＦトランシーバ回路１０２２、ベースバンド処理回路１０２４、及びアプリケーション処理回路１０２６のうちの１つ又は複数を含む。他の実施形態において、処理回路は、異なる構成要素及び／又は異なる組合せの構成要素を備え得る。ある種の実施形態では、ＷＤ１０１０の処理回路１０２０は、ＳＯＣを備え得る。一部の実施形態では、ＲＦトランシーバ回路１０２２、ベースバンド処理回路１０２４、及びアプリケーション処理回路１０２６は、別個のチップ又はチップのセット上にあることがある。代替実施形態において、ベースバンド処理回路１０２４及びアプリケーション処理回路１０２６の一部又はすべては、１つのチップ又はチップのセット内に結合され得、ＲＦトランシーバ回路１０２２は、別個のチップ又はチップのセット上にあってもよい。さらに代替実施形態において、ＲＦトランシーバ回路１０２２及びベースバンド処理回路１０２４の一部又はすべては、同じチップ又はチップのセット上にあることがあり、アプリケーション処理回路１０２６は、別個のチップ又はチップのセット上にあることがある。さらに他の代替実施形態において、ＲＦトランシーバ回路１０２２、ベースバンド処理回路１０２４、及びアプリケーション処理回路１０２６の一部又はすべては、同じチップ又はチップのセット内に結合され得る。一部の実施形態では、ＲＦトランシーバ回路１０２２は、インターフェース１０１４の一部でもよい。ＲＦトランシーバ回路１０２２は、処理回路１０２０のＲＦ信号を調整し得る。
【０１５５】
ある種の実施形態では、ＷＤによって実行されるものとして本明細書に記載の機能性の一部又はすべては、ある種の実施形態ではコンピュータ可読記憶媒体であることがある、デバイス可読媒体１０３０に記憶された命令を実行する処理回路１０２０によって提供され得る。代替実施形態において、機能性の一部の又はすべては、ハードワイヤード方式などで、別個の又はディスクリートデバイスの可読記憶媒体に記憶された命令を実行することなしに処理回路１０２０によって提供され得る。それらの特定の実施形態のいずれかにおいて、デバイス可読記憶媒体に記憶された命令を実行してもしなくても、処理回路１０２０は、記載された機能性を実行するように設定することができる。そのような機能性によって提供される利益は、単独で処理回路１０２０に又はＷＤ１０１０の他の構成要素に限定されず、全体としてのＷＤ１０１０によって、及び／又は一般にエンドユーザ及びワイヤレスネットワークによって、享受される。
【０１５６】
処理回路１０２０は、ＷＤによって実行されるものとして本明細書に記載された任意の決定、計算、又は類似の動作（たとえば、ある種の取得動作）を実行するように設定され得る。処理回路１０２０によって実行されるものとしての、これらの動作は、たとえば、取得された情報を他の情報に変換すること、取得された情報又は変換された情報をＷＤ１０１０によって記憶された情報と比較すること、及び／又は取得された情報又は変換された情報に基づいて１つ又は複数の動作を実行することにより、処理回路１０２０によって取得された情報を処理すること、並びに前記処理の結果として判定を行うことを含み得る。
【０１５７】
デバイス可読媒体１０３０は、コンピュータプログラム、ソフトウェア、ロジック、ルール、コード、テーブルなどのうちの１つ又は複数を含むアプリケーション及び／又は処理回路１０２０によって実行することが可能な他の命令を記憶するように動作可能になり得る。デバイス可読媒体１０３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１０２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１０２０及びデバイス可読媒体１０３０は、統合されたものとして考えられ得る。
【０１５８】
ユーザインターフェース機器１０３２は、人間のユーザがＷＤ１０１０と相互作用することを可能にする構成要素を提供し得る。そのような相互作用は、視覚、聴覚、触覚などの多数の形態をとり得る。ユーザインターフェース機器１０３２は、ユーザへの出力を生み出すように及びユーザが入力をＷＤ１０１０に提供することを可能にするように動作可能になり得る。相互作用のタイプは、ＷＤ１０１０にインストールされたユーザインターフェース機器１０３２のタイプに応じて変化し得る。たとえば、ＷＤ１０１０がスマートフォンである場合には、相互作用はタッチスクリーンを介し得、ＷＤ１０１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１０３２は、入力インターフェース、デバイス及び回路と、出力インターフェース、デバイス及び回路とを含み得る。ユーザインターフェース機器１０３２は、ＷＤ１０１０への情報の入力を可能にするように設定され、処理回路１０２０に接続されて処理回路１０２０が入力情報を処理することを可能にする。ユーザインターフェース機器１０３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１０３２はまた、ＷＤ１０１０からの情報の出力を可能にするように、及び処理回路１０２０がＷＤ１０１０から情報を出力することを可能にするように設定される。ユーザインターフェース機器１０３２は、たとえば、スピーカ、ディスプレイ、振動回路、ＵＳＢポート、ヘッドフォンインターフェース、又は他の出力回路を含み得る。ユーザインターフェース機器１０３２の１つ又は複数の入力及び出力インターフェース、デバイス、及び回路を使用し、ＷＤ１０１０は、エンドユーザ及び／又はワイヤレスネットワークと通信することができ、それらが本明細書に記載の機能性から利益を得ることを可能にし得る。
【０１５９】
補助機器１０３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１０３４の構成要素の包含及びタイプは、実施形態及び／又はシナリオに応じて異なり得る。
【０１６０】
一部の実施形態では、電源１０３６は、バッテリ又はバッテリパックの形でもよい。外部電源（たとえば、電気コンセント）、光電池デバイス又は動力電池など、他のタイプの電源もまた使用され得る。ＷＤ１０１０はさらに、本明細書に記載又は示された任意の機能性を実行するために電源１０３６からの電力を必要とするＷＤ１０１０の様々な部分に電源１０３６から電力を届けるための電力回路１０３７を備え得る。ある種の実施形態では、電力回路１０３７は、電力管理回路を備え得る。電力回路１０３７は、付加的に又は別法として外部電源から電力を受信するように動作可能になり得、その場合、ＷＤ１０１０は、入力回路又は電気動力ケーブルなどのインターフェースを介して外部電源（電気コンセントなど）に接続可能になり得る。ある種の実施形態では、電力回路１０３７はまた、外部電源から電源１０３６に電力を届けるように動作可能になり得る。これは、たとえば、電源１０３６の充電のためでもよい。電力回路１０３７は、任意のフォーマッティング、変換、又は他の修正を電源１０３６からの電力に実行して、電力を、電力が供給される先のＷＤ１０１０のそれぞれの構成要素に適するようにさせることができる。
【０１６１】
図１１は、本明細書に記載する様々な態様による、ＵＥの一実施形態を示している。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ１１２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナーシッププロジェクト（３ＧＰＰ）によって識別された任意のＵＥでもよい。図１１に示されているような、ＵＥ１１００は、３ＧＰＰのＧＳＭ、ＵＭＴＳ、ＬＴＥ、及び／又は５Ｇ標準など、第３世代パートナーシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図１１はＵＥであるが、本明細書で論じられる構成要素は、ＷＤに同等に適用可能であり、逆もまた同様である。
【０１６２】
図１１では、ＵＥ１１００は、入力／出力インターフェース１１０５、無線周波数（ＲＦ）インターフェース１１０９、ネットワーク接続インターフェース１１１１、ランダムアクセスメモリ（ＲＡＭ）１１１７、読取り専用メモリ（ＲＯＭ）１１１９、及び記憶媒体１１２１などを含むメモリ１１１５、通信サブシステム１１３１、電源１１３３、及び／又は任意の他の構成要素、或いはその任意の組合せに動作可能なように連結された、処理回路１１０１を含む。記憶媒体１１２１は、オペレーティングシステム１１２３、アプリケーションプログラム１１２５、及びデータ１１２７を含む。他の実施形態において、記憶媒体１１２１は、他の類似のタイプの情報を含み得る。ある種のＵＥは、図１１に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１６３】
図１１では、処理回路１１０１は、コンピュータ命令及びデータを処理するように設定され得る。処理回路１１０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路１１０１は、２つの中央処理装置（ＣＰＵ）を含み得る。データは、コンピュータによる使用に適した形の情報でもよい。
【０１６４】
図示された実施形態では、入力／出力インターフェース１１０５は、通信インターフェースを入力デバイス、出力デバイス、或いは、入力及び出力デバイスに提供するように設定され得る。ＵＥ１１００は、入力／出力インターフェース１１０５を介して出力デバイスを使用するように設定され得る。出力デバイスは、入力デバイスと同じタイプのインターフェースポートを使用し得る。たとえば、ＵＳＢポートは、ＵＥ１１００への入力及びＵＥ１１００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ１１００は、ユーザがＵＥ１１００内に情報をキャプチャすることを可能にするために入力／出力インターフェース１１０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１６５】
図１１では、ＲＦインターフェース１１０９は、送信器、受信器、及びアンテナなどのＲＦ構成要素に通信インターフェースを提供するように設定され得る。ネットワーク接続インターフェース１１１１は、通信インターフェースをネットワーク１１４３ａに提供するように設定され得る。ネットワーク１１４３ａは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク１１４３ａは、Ｗｉ−Ｆｉネットワークを備え得る。ネットワーク接続インターフェース１１１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース１１１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１６６】
ＲＡＭ１１１７は、オペレーティングシステム、アプリケーションプログラム、及びデバイスドライバなどのソフトウェアプログラムの実行中にデータ又はコンピュータ命令の記憶又はキャッシュを行うために処理回路１１０１にバス１１０２を介してインターフェースするように設定され得る。ＲＯＭ１１１９は、コンピュータ命令又はデータを処理回路１１０１に提供するように設定され得る。たとえば、ＲＯＭ１１１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体１１２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体１１２１は、オペレーティングシステム１１２３、ウェブブラウザアプリケーションなどのアプリケーションプログラム１１２５、ウィジェット若しくはガジェットエンジン又は別のアプリケーション、及びデータファイル１１２７を含むように設定され得る。記憶媒体１１２１は、ＵＥ１１００によって使用するために、バラエティ豊かな様々なオペレーティングシステムのいずれか又はオペレーティングシステムの組合せを記憶し得る。
【０１６７】
記憶媒体１１２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体１１２１は、ＵＥ１１００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体１１２１において有形に実施され得る。
【０１６８】
図１１において、処理回路１１０１は、通信サブシステム１１３１を使用するネットワーク１１４３ｂと通信するように設定され得る。ネットワーク１１４３ａ及びネットワーク１１４３ｂは、１つ又は複数の同じネットワーク或いは１つ又は複数の異なるネットワークでもよい。通信サブシステム１１３１は、ネットワーク１１４３ｂと通信するために使用される１つ又は複数のトランシーバを含むように設定され得る。たとえば、通信サブシステム１１３１は、ＩＥＥＥ８０２．１１、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器１１３３及び／又は受信器１１３５を含み得る。さらに、各トランシーバの送信器１１３３及び受信器１１３５は、回路構成要素、ソフトウェア又はファームウェアを共用し得る、或いは別法として別個に実装され得る。
【０１６９】
図示された実施形態において、通信サブシステム１１３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム１１３１は、セルラ通信、Ｗｉ−Ｆｉ通信、ブルートゥース通信、及びＧＰＳ通信を含み得る。ネットワーク１１４３ｂは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク１１４３ｂは、セルラネットワーク、Ｗｉ−Ｆｉネットワーク、及び／又は近距離無線ネットワークでもよい。電源１１１３は、交流（ＡＣ）又は直流（ＤＣ）電力をＵＥ１１００の構成要素に提供するように設定され得る。
【０１７０】
本明細書に記載の特徴、利益及び／又は機能は、ＵＥ１１００の構成要素のうちの１つにおいて実装され得る、又はＵＥ１１００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム１１３１は、本明細書に記載の構成要素のいずれかを含むように設定され得る。さらに、処理回路１１０１は、バス１１０２を介してそのような構成要素のいずれかと通信するように設定され得る。別の例では、そのような構成要素のいずれかは、処理回路１１０１によって実行されたときに本明細書に記載の対応する機能を実行するメモリに記憶されたプログラム命令によって表され得る。別の例では、そのような構成要素のうちのいずれかの構成要素の機能性は、処理回路１１０１と通信サブシステム１１３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１７１】
図１２は、一部の実施形態によって実装される機能が仮想化され得る仮想化環境１２００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１７２】
一部の実施形態では、本明細書に記載の機能の一部又はすべては、ハードウェアノード１２３０のうちの１つ又は複数によってホストされる１つ又は複数の仮想環境１２００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１７３】
本機能は、本明細書で開示される実施形態のうちのいくつかの実施形態の特徴、機能、及び／又は利益のうちのいくつかを実装するように動作可能な１つ又は複数のアプリケーション１２２０（ソフトウェアインスタンス、仮想アプライアンス、ネットワーク機能、仮想ノード、仮想ネットワーク機能などと別称され得る）によって実装され得る。アプリケーション１２２０は、処理回路１２６０及びメモリ１２９０を備えるハードウェア１２３０を提供する仮想化環境１２００において実行される。メモリ１２９０は、処理回路１２６０によって実行可能な命令１２９５を含み、それにより、アプリケーション１２２０は、本明細書で開示される特徴、利益、及び／又は機能のうちの１つ又は複数を提供するように動作可能である。
【０１７４】
仮想化環境１２００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路１２６０を備えた、汎用又は専用ネットワークハードウェアデバイス１２３０を備える。各ハードウェアデバイスは、命令１２９５又は処理回路１２６０によって実行されるソフトウェアを一時的に記憶するための非永続メモリでもよいメモリ１２９０−１を備え得る。各ハードウェアデバイスは、物理ネットワークインターフェース１２８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）１２７０を備え得る。各ハードウェアデバイスはまた、ソフトウェア１２９５がそこに記憶された非一時的、永続的、マシン可読記憶媒体１２９０−２、及び／又は処理回路１２６０によって実行可能な命令を含み得る。ソフトウェア１２９５は、１つ又は複数の仮想化レイヤ１２５０（ハイパーバイザとも呼ばれる）のインスタンスを作成するためのソフトウェア、仮想マシン１２４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１７５】
仮想マシン１２４０は、仮想処理、仮想メモリ、仮想ネットワーキング又はインターフェース及び仮想ストレージを備え、対応する仮想化レイヤ１２５０又はハイパーバイザによって実行され得る。仮想アプライアンス１２２０のインスタンスの異なる実施形態は、仮想マシン１２４０のうちの１つ又は複数で実装され得、実装形態は、異なる形で行われ得る。
【０１７６】
動作中、処理回路１２６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ１２５０のインスタンスを作成するために、ソフトウェア１２９５を実行する。仮想化レイヤ１２５０は、仮想マシン１２４０にネットワーキングハードウェアのように見える仮想オペレーティングプラットフォームを示し得る。
【０１７７】
図１２に示されるように、ハードウェア１２３０は、一般又は特定の構成要素を有するスタンドアロンネットワークノードでもよい。ハードウェア１２３０は、アンテナ１２２２５を備え得、仮想化を介していくつかの機能を実装し得る。別法として、ハードウェア１２３０は、多数のハードウェアノードが連携する及び、とりわけアプリケーション１２２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）１２１００を介して管理される、ハードウェアのより大きなクラスタ（たとえば、データセンタ又は顧客構内機器（ＣＰＥ）内など）の一部でもよい。
【０１７８】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１７９】
ＮＦＶとの関連で、仮想マシン１２４０は、プログラムが物理的な非仮想化マシンで実行していたかのようにプログラムを実行する物理マシンのソフトウェア実装形態でもよい。それぞれの仮想マシン１２４０、及びその仮想マシンを実行するハードウェア１２３０のその部分は、それがその仮想マシン専用のハードウェア及び／又は他の仮想マシン１２４０とその仮想マシンによって共用されるハードウェアであれば、別個の仮想ネットワーク要素（ＶＮＥ）を形成する。
【０１８０】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ１２３０の最上部の１つ又は複数の仮想マシン１２４０において実行する特定のネットワーク機能を処理する責任を有し、図１２のアプリケーション１２２０に対応する。
【０１８１】
一部の実施形態では、１つ又は複数の送信器１２２２０及び１つ又は複数の受信器１２２１０をそれぞれ含む１つ又は複数の無線ユニット１２２００は、１つ又は複数のアンテナ１２２２５に連結され得る。無線ユニット１２２００は、１つ又は複数の適切なネットワークインターフェースを介してハードウェアノード１２３０と直接通信することができ、無線アクセスノード又は基地局などの無線能力を有する仮想ノードを提供するために仮想構成要素と組み合わせて使用され得る。
【０１８２】
一部の実施形態では、一部のシグナリングは、別法としてハードウェアノード１２３０と無線ユニット１２２００との間の通信のために使用され得る制御システム１２２３０の使用の影響を受け得る。
【０１８３】
図１３を参照すると、一実施形態によれば、通信システムは、無線アクセスネットワークなどのアクセスネットワーク１３１１及びコアネットワーク１３１４を備える、３ＧＰＰタイプのセルラネットワークなどの通信ネットワーク１３１０を含む。アクセスネットワーク１３１１は、それぞれが対応するカバレッジエリア１３１３ａ、１３１３ｂ、１３１３ｃを規定する、ＮＢ、ｅＮＢ、ｇＮＢ又は他のタイプのワイヤレスアクセスポイントなどの複数の基地局１３１２ａ、１３１２ｂ、１３１２ｃを備える。各基地局１３１２ａ、１３１２ｂ、１３１２ｃは、ワイヤード又はワイヤレス接続１３１５を介してコアネットワーク１３１４に接続可能である。カバレッジエリア１３１３ｃ内に置かれた第１のＵＥ１３９１は、対応する基地局１３１２ｃにワイヤレスで接続される又は対応する基地局１３１２ｃによってページングされるように設定され得る。カバレッジエリア１３１３ａ内の第２のＵＥ１３９２は、対応する基地局１３１２ａにワイヤレスに接続可能である。複数のＵＥ１３９１、１３９２が本例では図示されているが、開示される実施形態は、唯一のＵＥがカバレッジエリア内にある又は唯一のＵＥが対応する基地局１３１２に接続している状況に同等に適用可能である。
【０１８４】
通信ネットワーク１３１０自体は、ホストコンピュータ１３３０に接続され、ホストコンピュータ１３３０は、スタンドアロンサーバ、クラウド実装されたサーバ、分散型サーバのハードウェア及び／又はソフトウェアにおいて或いはサーバファーム内の処理資源として実施され得る。ホストコンピュータ１３３０は、サービスプロバイダの所有権又は制御の下にあってもよく、或いはサービスプロバイダによって又はサービスプロバイダのために動作させられ得る。通信ネットワーク１３１０とホストコンピュータ１３３０との接続１３２１及び１３２２は、コアネットワーク１３１４からホストコンピュータ１３３０に直接延びてもよく、或いはオプションの中間ネットワーク１３２０を介してもよい。中間ネットワーク１３２０は、パブリックネットワーク、プライベートネットワーク又はホスト型ネットワークのうちの１つ、又はそれらのうちの２つ以上の組合せでもよく、中間ネットワーク１３２０は、もしあるなら、バックボーンネットワーク又はインターネットでもよく、具体的には、中間ネットワーク１３２０は、２つ以上のサブネットワーク（図示せず）を備え得る。
【０１８５】
全体としての図１３の通信システムは、接続されたＵＥ１３９１、１３９２及びホストコンピュータ１３３０の間の接続性を有効にする。接続性は、オーバーザトップ（ＯＴＴ：ｏｖｅｒ−ｔｈｅ−ｔｏｐ）接続１３５０として説明され得る。ホストコンピュータ１３３０及び接続されたＵＥ１３９１、１３９２は、媒介としてアクセスネットワーク１３１１、コアネットワーク１３１４、任意の中間ネットワーク１３２０及び可能なさらなるインフラストラクチャ（図示せず）を使用し、ＯＴＴ接続１３５０を介してデータ及び／又はシグナリングを通信するように設定される。ＯＴＴ接続１３５０は、ＯＴＴ接続１３５０が通過する参加通信デバイスはアップリンク及びダウンリンク通信のルーティングを認識しないという意味で、透過的になり得る。たとえば、基地局１３１２は、接続されたＵＥ１３９１に転送される（たとえば、ハンドオーバされる）ことになるホストコンピュータ１３３０に由来するデータとの着信ダウンリンク通信の過去のルーティングに関して知らされないことがある、又は知らされる必要はない。同様に、基地局１３１２は、ＵＥ１３９１からホストコンピュータ１３３０に向けて始められる外向きのアップリンク通信の未来のルーティングを認識する必要はない。
【０１８６】
前段落で論じられたＵＥ、基地局及びホストコンピュータの一実施形態による例示的実装形態について、図１４を参照して、ここで説明する。通信システム１４００では、ホストコンピュータ１４１０は、通信システム１４００の異なる通信デバイスのインターフェースとのワイヤード又はワイヤレス接続をセットアップ及び維持するように設定された通信インターフェース１４１６を含むハードウェア１４１５を備える。ホストコンピュータ１４１０はさらに、ストレージ及び／又は処理能力を有し得る処理回路１４１８を備える。具体的には、処理回路１４１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ１４１０はさらに、ホストコンピュータ１４１０に記憶された若しくはこれによってアクセス可能な及び処理回路１４１８によって実行可能な、ソフトウェア１４１１を備える。ソフトウェア１４１１は、ホストアプリケーション１４１２を含む。ホストアプリケーション１４１２は、ＵＥ１４３０及びホストコンピュータ１４１０で終了するＯＴＴ接続１４５０を介して接続するＵＥ１４３０など、リモートユーザにサービスを提供するように動作可能になり得る。サービスのリモートユーザへの提供において、ホストアプリケーション１４１２は、ＯＴＴ接続１４５０を使用して送信されるユーザデータを提供し得る。
【０１８７】
通信システム１４００はさらに、通信システムにおいて提供される並びにホストコンピュータ１４１０と及びＵＥ１４３０とそれが通信することを可能にするハードウェア１４２５を備える、基地局１４２０を含む。ハードウェア１４２５は、通信システム１４００の異なる通信デバイスのインターフェースとのワイヤード又はワイヤレス接続をセットアップ及び維持するための通信インターフェース１４２６、並びに基地局１４２０によってサービスされるカバレッジエリア（図１４には図示せず）内に置かれたＵＥ１４３０とのワイヤレス接続１４７０を少なくともセットアップ及び維持するための無線インターフェース１４２７を含み得る。通信インターフェース１４２６は、ホストコンピュータ１４１０への接続１４６０を円滑にするように設定され得る。接続１４６０は直接でもよく、或いは、接続１４６０は、通信システムのコアネットワーク（図１４には図示せず）を通過及び／又は通信システム外部の１つ又は複数の中間ネットワークを通過してもよい。示された実施形態では、基地局１４２０のハードウェア１４２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１４２８を含む。基地局１４２０はさらに、内部に記憶された又は外部接続を介してアクセス可能なソフトウェア１４２１を有する。
【０１８８】
通信システム１４００はさらに、すでに参照されたＵＥ１４３０を含む。それのハードウェア１４３５は、ＵＥ１４３０が現在位置するカバレッジエリアにサービスする基地局とのワイヤレス接続１４７０をセットアップ及び維持するように設定された無線インターフェース１４３７を含み得る。ＵＥ１４３０のハードウェア１４３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路１４３８を含む。ＵＥ１４３０はさらに、ＵＥ１４３０に記憶された若しくはこれによってアクセス可能な及び処理回路１４３８によって実行可能なソフトウェア１４３１を備える。ソフトウェア１４３１は、クライアントアプリケーション１４３２を含む。クライアントアプリケーション１４３２は、ホストコンピュータ１４１０のサポートを有して、ＵＥ１４３０を介して人間又は非人間ユーザにサービスを提供するように動作可能になり得る。ホストコンピュータ１４１０では、実行中のホストアプリケーション１４１２は、ＵＥ１４３０及びホストコンピュータ１４１０で終了するＯＴＴ接続１４５０を介して実行中のクライアントアプリケーション１４３２と通信し得る。ユーザへのサービス提供において、クライアントアプリケーション１４３２は、ホストアプリケーション１４１２から要求データを受信し、要求データに応答してユーザデータを提供することができる。ＯＴＴ接続１４５０は、要求データ及びユーザデータの両方を転送することができる。クライアントアプリケーション１４３２は、ユーザと相互作用して、それが提供するユーザデータを生成することができる。
【０１８９】
図１４に示されたホストコンピュータ１４１０と、基地局１４２０と、ＵＥ１４３０とは、それぞれ、図１３のホストコンピュータ１３３０と、基地局１３１２ａ、１３１２ｂ、１３１２ｃのうちの１つと、ＵＥ１３９１、１３９２のうちの１つと類似する又は同一であってもよいことに留意されたい。すなわち、これらのエンティティの内部の動きは、図１４に示されるようでもよく、独立して、周囲のネットワークトポロジは、図１３のそれでもよい。
【０１９０】
図１４において、ＯＴＴ接続１４５０は、媒介デバイスの明示的参照及びこれらのデバイスを介するメッセージの正確なルーティングなしに、基地局１４２０を介するホストコンピュータ１４１０とＵＥ１４３０との通信を説明するために抽象的に描かれてある。ネットワークインフラストラクチャは、ルーティングを判定することができ、それは、ＵＥ１４３０から若しくはサービスプロバイダオペレーティングホストコンピュータ１４１０から又はその両方から隠すように設定され得る。ＯＴＴ接続１４５０がアクティブである間、ネットワークインフラストラクチャは、それがルーティングを動的に変更する判定（たとえば、ネットワークの負荷バランシング検討又は再設定に基づく）をさらに行うことができる。
【０１９１】
ＵＥ１４３０と基地局１４２０との間のワイヤレス接続１４７０は、本開示を通じて説明される実施形態の教示に従う。様々な実施形態のうちの１つ又は複数は、ワイヤレス接続１４７０が最後のセグメントを形成する、ＯＴＴ接続１４５０を使用してＵＥ１４３０に提供されるＯＴＴサービスのパフォーマンスを改善する。より正確には、これらの実施形態の教示は、異なるタイプのネットワークとのＵＥの互換性を改善し、それによってユーザの待機時間の低減又はより良好な応答性などの利益を提供してもよい。たとえば、ＵＥは、別の方法ではＵＥに割り当てられる５Ｇ−Ｓ−ＴＭＳＩの長さを扱うことが困難であろう、ネットワークノードに接続することができてもよい。
【０１９２】
測定プロシージャは、１つ又は複数の実施形態が改善するモニタリングデータレート、レイテンシ及び他の要因を目的として、提供され得る。測定結果の変動に応答して、ホストコンピュータ１４１０とＵＥ１４３０との間のＯＴＴ接続１４５０を再設定するためのオプションのネットワーク機能性がさらに存在し得る。測定プロシージャ及び／又はＯＴＴ接続１４５０を再設定するためのネットワーク機能性は、ホストコンピュータ１４１０のソフトウェア１４１１及びハードウェア１４１５において、又はＵＥ１４３０のソフトウェア１４３１及びハードウェア１４３５において、又はその両方で実装され得る。実施形態において、センサ（図示せず）は、ＯＴＴ接続１４５０が通過する通信デバイスにおいて又はそのような通信デバイスに関連して配備され得、センサは、上記で例示されたモニタされる数量の値を供給すること、或いはそこからソフトウェア１４１１、１４３１がモニタされる数量を計算又は推定し得る他の物理数量の値を供給することによって、測定プロシージャに参加し得る。ＯＴＴ接続１４５０の再設定は、メッセージフォーマット、再送信設定、好ましいルーティングなどを含み得、再設定は基地局１４２０に影響を及ぼす必要はなく、そして、それは基地局１４２０に知られてなくても又は感知できなくてもよい。そのようなプロシージャ及び機能性は、当分野では知られており、実施されることがある。ある種の実施形態では、測定は、スループット、伝搬時間、レイテンシなどのホストコンピュータ１４１０の測定を円滑にする占有ＵＥシグナリングを含み得る。ソフトウェア１４１１及び１４３１が、ＯＴＴ接続１４５０を使用し、それが伝搬時間、エラーなどをモニタする間に、メッセージ、具体的には空の又は「ダミー」メッセージ、を送信させるので、測定は実装され得る。
【０１９３】
図１５は、１つの実施形態による、通信システムにおいて実装される方法を示す流れ図である。通信システムは、図１３及び１４を参照して説明されるものでもよいホストコンピュータ、基地局及びＵＥを含む。本開示を簡単にするために、図１５のみの図面の参照が、このセクションに含まれることになる。ステップ１５１０において、ホストコンピュータはユーザデータを提供する。ステップ１５１０のサブステップ１５１１（オプションでもよい）では、ホストコンピュータは、ホストアプリケーションを実行することによって、ユーザデータを提供する。ステップ１５２０では、ホストコンピュータは、ユーザデータをＵＥに運ぶ送信を開始する。ステップ１５３０（オプションでもよい）では、基地局が、本開示を通して説明される実施形態の教示に従って、ホストコンピュータが開始した送信において運ばれたユーザデータをＵＥに送信する。ステップ１５４０（やはりオプションでもよい）で、ＵＥは、ホストコンピュータによって実行されるホストアプリケーションに関連するクライアントアプリケーションを実行する。
【０１９４】
図１６は、１つの実施形態による、通信システムにおいて実装される方法を示す流れ図である。通信システムは、図１３及び１４を参照して説明されるものでもよいホストコンピュータ、基地局及びＵＥを含む。本開示を簡単にするために、図１６の図面の参照のみが、このセクションに含まれることになる。本方法のステップ１６１０において、ホストコンピュータはユーザデータを提供する。オプションのサブステップ（図示せず）において、ホストコンピュータは、ホストアプリケーションを実行することによって、ユーザデータを提供する。ステップ１６２０で、ホストコンピュータは、ユーザデータをＵＥに運ぶ送信を開始する。送信は、本開示を通して説明される実施形態の教示によれば、基地局を通り得る。ステップ１６３０（オプションでもよい）で、ＵＥは、その送信で運ばれたユーザデータを受信する。
【０１９５】
図１７は、１つの実施形態による、通信システムにおいて実装される方法を示す流れ図である。通信システムは、図１３及び１４を参照して説明されるものでもよいホストコンピュータ、基地局及びＵＥを含む。本開示を簡単にするために、図１７の図面の参照のみが、このセクションに含まれることになる。ステップ１７１０（オプションでもよい）で、ＵＥは、ホストコンピュータによって提供された入力データを受信する。追加で又は別法として、ステップ１７２０で、ＵＥはユーザデータを提供する。ステップ１７２０のサブステップ１７２１（オプションでもよい）で、ＵＥは、クライアントアプリケーションを実行することによって、ユーザデータを提供する。ステップ１７１０のサブステップ１７１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ１７３０（オプションでもよい）で、ユーザデータのホストコンピュータへの送信を開始する。本方法のステップ１７４０において、ホストコンピュータは、本開示を通して説明される実施形態の教示によれば、ＵＥから送信されたユーザデータを受信する。
【０１９６】
図１８は、１つの実施形態による、通信システムにおいて実装された方法を示す流れ図である。通信システムは、図１３及び１４を参照して説明されるものでもよいホストコンピュータ、基地局及びＵＥを含む。本開示を簡単にするために、図１８の図面の参照のみが、このセクションに含まれることになる。ステップ１８１０（オプションでもよい）において、本開示を通して説明される実施形態の教示に従って、基地局は、ユーザデータをＵＥから受信する。ステップ１８２０（オプションでもよい）で、基地局は、受信されたユーザデータのホストコンピュータへの送信を開始する。ステップ１８３０（オプションでもよい）で、ホストコンピュータは、基地局によって開始された送信で運ばれたユーザデータを受信する。
【０１９７】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る。メモリに記憶されたプログラムコードは、１つ若しくは複数の電気通信及び／又はデータ通信プロトコルを実行するプログラム命令、並びに本明細書に記載される技術の１つ若しくは複数を実施する命令を含む。いくつかの実装形態では、処理回路は、本開示の１つ又は複数の実施形態による対応する機能をそれぞれの機能的ユニットに実施させるのに使用されてもよい。
【０１９８】
図１９は、特定の実施形態による方法を示しており、ネットワークノードがｍｓｇ３で受信することができる限界を識別子の長さが超える、ワイヤレスデバイスと関連付けられた識別子の少なくとも一部分をｍｓｇ５で送出するように決定すること（ステップ１９０２）と、ワイヤレスデバイスと関連付けられた識別子の一部分又はワイヤレスデバイスと関連付けられた識別子の代わりに提供される乱数値を含むｍｓｇ３を、ネットワークノードに送信すること（ステップ１９０４）と、ワイヤレスデバイスと関連付けられた識別子の少なくとも一部分又はワイヤレスデバイスと関連付けられた識別子全体を含むｍｓｇ５を、ネットワークノードに送信すること（ステップ１９０６）と、を含む。
【０１９９】
図２０は、ワイヤレスネットワーク（たとえば、図１０に示されるワイヤレスネットワーク）の装置２０００の概略的ブロック図を示している。装置は、ワイヤレスデバイス又はネットワークノード（たとえば、図１０に示されるワイヤレスデバイス１０１０又はネットワークノード１０６０）で実装されてもよい。装置２０００は、図１９を参照して記載される例示の方法、及び場合によっては本明細書に開示される他の任意のプロセス又は方法を実施するように動作可能である。また、図１９の方法は必ずしも装置２０００のみによって実施されなくてもよいことが理解されるべきである。方法の少なくともいくつかの動作は、１つ又は複数の他のエンティティによって実施することができる。
【０２００】
仮想装置２０００は、１つ若しくは複数のマイクロプロセッサ又はマイクロコントローラを含んでもよい、処理回路、並びにデジタル信号プロセッサ（ＤＳＰ）、専用デジタル論理などを含んでもよい、他のデジタルハードウェアを備えてもよい。処理回路は、読出し専用メモリ（ＲＯＭ）、ランダムアクセスメモリ、キャッシュメモリ、フラッシュメモリデバイス、光学記憶デバイスなど、１つ又は複数のタイプのメモリを含んでもよい、メモリに記憶されたプログラムコードを実行するように設定されてもよい。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態では、処理回路は、メッセージ設定ユニット２００２、メッセージ送信ユニット２００４、及び装置２０００の他の任意の適切なユニットに、本開示の１つ又は複数の実施形態による対応する機能を実施させるのに使用されてもよい。
【０２０１】
図２０に示されるように、装置２０００は、メッセージ設定ユニット２００２とメッセージ送信ユニット２００４とを含む。メッセージ設定ユニット２００２は、ｍｓｇ３及びｍｓｇ５を設定するように設定される。たとえば、ワイヤレスデバイスと関連付けられた識別子（たとえば、５Ｇ−Ｓ−ＴＭＳＩ）が限界を超えている場合（たとえば、４０ビット超過）、メッセージ設定ユニット２００２は、識別子の少なくとも一部分を含むようにｍｓｇ５を設定する。一実施形態では、メッセージ設定ユニット２００２は、識別子をｍｓｇ３及びｍｓｇ５の間で分割する。識別子をどのように分割するか（たとえば、識別子の何ビットをｍｓｇ３に設定するか、識別子の何ビットをｍｓｇ５に設定するか、並びにｍｓｇ３又はｍｓｇ５のどちらが最上位ビットを含むか）は、（たとえば、メモリに記憶された規則に基づいて）予め規定されるか、又はネットワークノードと交換されるシグナリングに基づいて決定されてもよい。メッセージ送信ユニット２００４は、たとえば、ＲＲＣ接続を確立又は再開するプロシージャに従って、ｍｓｇ３及びｍｓｇ５をメッセージ設定ユニット２００２から受信し、ｍｓｇ３及びｍｓｇ５をネットワークノードに送信する。
【０２０２】
ユニットという用語は、エレクトロニクス、電気デバイス、及び／又は電子デバイスの分野における従来の意味を有してもよく、たとえば、本明細書に記載されるような、それぞれのタスク、手順、計算、出力、及び／又は表示機能などを実施する、電気及び／又は電子回路、デバイス、モジュール、プロセッサ、メモリ、論理固体及び／又は離散的デバイス、コンピュータプログラム又は命令を含んでもよい。
【０２０３】
いくつかの実施形態では、コンピュータプログラム、コンピュータプログラム製品、又はコンピュータ可読記憶媒体は、コンピュータで実行されたとき、本明細書に開示する実施形態のいずれかを実施する命令を含む。さらなる例では、命令は、信号又はキャリアで伝達され、コンピュータ上で実行可能であり、実行されたとき本明細書に開示する実施形態のいずれかを実施する。
【０２０４】
実施形態
グループＡ実施形態
１．ワイヤレスデバイスによって実施される方法であって、以下を含む方法：
−  ｍｓｇ３をネットワークノードに送信することと、
−  ワイヤレスデバイスと関連付けられた識別子の少なくとも一部分を含むｍｓｇ５を、ネットワークノードに送信すること。
２．実施形態１の方法、そこで、ｍｓｇ３が、ワイヤレスデバイスと関連付けられた識別子の別の部分を含む。
３．実施形態１の方法、そこで、識別子の全体がｍｓｇ５でネットワークノードに送信され、識別子の代わりにデータが、ｍｓｇ３でネットワークノードに送信される。
４．実施形態３の方法、そこで、識別子の代わりに送信されるデータが乱数値を含む。
５．前の実施形態のいずれかの方法、そこで、ｍｓｇ３及びｍｓｇ５がＲＲＣメッセージである。
６．前の実施形態のいずれかの方法、そこで、ｍｓｇ３がＲＲＣ要求メッセージに対応し、ｍｓｇ５がＲＲＣセットアップ完了メッセージに対応する。
７．前の実施形態のいずれかの方法、そこで、識別子が５Ｇ−Ｓ一時的移動加入者識別情報（５Ｇ−Ｓ−ＴＭＳＩ）である。
８．前の実施形態のいずれかの方法、そこで、ワイヤレスデバイスと関連付けられた識別子の長さが、ネットワークノードがｍｓｇ３で受信することができる限界を超えている。
９．以下をさらに含む、前の実施形態のいずれかの方法：
−  識別子の少なくとも一部分をｍｓｇ５で送出するように決定すること、決定は、識別子の長さが、ネットワークノードがｍｓｇ３で受信することができる限界を超えているとの判定に応答して実施される。
１０．以下をさらに含む、前の実施形態のいずれかの方法：
−  ネットワークノードから受信される情報に少なくとも部分的に基づいて、識別子のどの部分をｍｓｇ５に含めるかを決定すること。
１１．以下をさらに含む、前の実施形態のいずれかの方法：
−  ユーザデータを提供することと、
−  基地局への送信によって、ユーザデータをホストコンピュータに転送すること。
【０２０５】
グループＢ実施形態
１２．基地局によって実施される方法であって、以下を含む方法：
−  ｍｓｇ３をワイヤレスデバイスから受信することと、
−  ワイヤレスデバイスと関連付けられた識別子の少なくとも一部分を含むｍｓｇ５を、ワイヤレスデバイスから受信すること。
１３．実施形態１１の方法、そこで、ｍｓｇ３が、ワイヤレスデバイスと関連付けられた識別子の別の部分を含む。
１４．実施形態１１の方法、そこで、識別子全体がｍｓｇ５で受信され、識別子の代わりにデータがｍｓｇ３で受信される。
１５．実施形態３の方法、そこで、識別子の代わりに受信されるデータが乱数値を含む。
１６．前の実施形態のいずれかの方法、そこで、ｍｓｇ３及びｍｓｇ５がＲＲＣメッセージである。
１７．前の実施形態のいずれかの方法、そこで、ｍｓｇ３がＲＲＣ要求メッセージに対応し、ｍｓｇ５がＲＲＣセットアップ完了メッセージに対応する。
１８．前の実施形態のいずれかの方法、そこで、識別子が５Ｇ−Ｓ一時的移動加入者識別情報（５Ｇ−Ｓ−ＴＭＳＩ）である。
１９．前の実施形態のいずれかの方法、そこで、ワイヤレスデバイスと関連付けられた識別子の長さが、ネットワークノードがｍｓｇ３で受信することができる限界を超えている。
２０．以下をさらに含む、前の実施形態のいずれかの方法：
−  ｍｓｇ３で受信した識別子の一部分とｍｓｇ５で受信した識別子の部分との組合せに基づいて、識別子を決定すること。
２１．以下をさらに含む、前の実施形態のいずれかの方法：
−  識別子のどの部分をｍｓｇ５に含めるかを示す情報をワイヤレスデバイスに送出すること。
２２．前の実施形態のいずれかの方法であって、受信した識別子をネットワークタスクを実施するのに使用することをさらに含む。
２３．前の実施形態のいずれかの方法であって、ネットワークノードがｍｓｇ３で受信することができる識別子長さの限界を示すインジケータをワイヤレスデバイスに送出することをさらに含む。
２４．以下をさらに含む、前の実施形態のいずれかの方法：
−  ユーザデータを取得することと、
−  ホストコンピュータ又はワイヤレスデバイスにユーザデータを転送すること。
【０２０６】
グループＣ実施形態
２５．ワイヤレスデバイスであって、以下を備えたワイヤレスデバイス：
−  グループＡ実施形態のうちのいずれかの実施形態のステップのうちのいずれかのステップを実行するように設定された処理回路と、
−  ワイヤレスデバイスに電力を供給するように設定された電源回路。
２６．基地局であって、以下を備えた基地局：
−  グループＢ実施形態のうちのいずれかの実施形態のステップのうちのいずれかのステップを実行するように設定された処理回路と、
−  ワイヤレスデバイスに電力を供給するように設定された電源回路。
２７．ユーザ機器（ＵＥ）であって、以下を備えたＵＥ：
−  ワイヤレス信号を送る及び受信するように設定されたアンテナと、
−  アンテナに及び処理回路に接続されており、アンテナと処理回路との間で通信される信号を調節するように設定された無線フロントエンド回路と、
−  グループＡ実施形態のうちのいずれかの実施形態のステップのうちのいずれかのステップを実行するように設定された処理回路と、
−  処理回路に接続されており、ＵＥへの情報の入力が処理回路によって処理されることを可能にするように設定された入力インターフェースと、
−  処理回路に接続されており、処理回路によって処理されたＵＥからの情報を出力するように設定された出力インターフェースと、
−  処理回路に接続されており、ＵＥに電力を供給するように設定されたバッテリ。
２８．コンピュータプログラムであって、コンピュータプログラムが、コンピュータで実行されたときにグループＡ実施形態のいずれかのステップのいずれかを実施する命令を含む。
２９．コンピュータプログラムを含むコンピュータプログラム製品であって、コンピュータプログラムが、コンピュータで実行されたときにグループＡ実施形態のいずれかのステップのいずれかを実施する命令を含む。
３０．コンピュータプログラムを含む非一時的コンピュータ可読記憶媒体又はキャリアであって、コンピュータプログラムが、コンピュータで実行されたときにグループＡ実施形態のいずれかのステップのいずれかを実施する命令を含む。
３１．コンピュータプログラムであって、コンピュータプログラムが、コンピュータで実行されたときにグループＢ実施形態のいずれかのステップのいずれかを実施する命令を含む。
３２．コンピュータプログラムを含むコンピュータプログラム製品であって、コンピュータプログラムが、コンピュータで実行されたときにグループＢ実施形態のいずれかのステップのいずれかを実施する命令を含む。
３３．コンピュータプログラムを含む非一時的コンピュータ可読記憶媒体又はキャリアであって、コンピュータプログラムが、コンピュータで実行されたときにグループＢ実施形態のいずれかのステップのいずれかを実施する命令を含む。
３４．以下を備えたホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、セルラネットワークは、無線インターフェース及び処理回路を有する基地局を備え、基地局の処理回路は、グループＢ実施形態のうちのいずれかの実施形態のステップのうちのいずれかのステップを実行するように設定されている。
３５．基地局をさらに含む、前の実施形態の通信システム。
３６．さらにＵＥを含む、前の２つの実施形態の通信システム、そこで、ＵＥは基地局と通信するように設定される。
３７．前の３つの実施形態の通信システム、そこで：
−  ホストコンピュータの処理回路は、ホストアプリケーションを実行するように設定され、それによってユーザデータを提供する、そして、
−  ＵＥは、ホストアプリケーションと関連するクライアントアプリケーションを実行するように設定された処理回路を備える。
３８．ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、基地局は、グループＢ実施形態のうちのいずれかの実施形態のステップのうちのいずれかのステップを実行する。
３９．基地局において、ユーザデータを送信することをさらに含む、前の実施形態の方法。
４０．前の２つの実施形態の方法、そこで、ユーザデータは、ホストアプリケーションを実行することによってホストコンピュータにおいて提供され、本方法は、ＵＥにおいて、ホストアプリケーションと関連するクライアントアプリケーションを実行することをさらに含む。
４１．基地局と通信するように設定されたユーザ機器（ＵＥ）であって、前の３つの実施形態を実行するように設定された無線インターフェース及び処理回路を備えたＵＥ。
４２．以下を備えた、ホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、ＵＥは、無線インターフェース及び処理回路を備え、ＵＥの構成要素は、グループＡ実施形態のうちのいずれかの実施形態のステップのうちのいずれかのステップを実行するように設定される。
４３．前の実施形態の通信システム、そこで、セルラネットワークは、ＵＥと通信するように設定された基地局をさらに含む。
４４．前の２つの実施形態の通信システム、そこで：
−  ホストコンピュータの処理回路は、ホストアプリケーションを実行するように設定され、それによってユーザデータを提供する、そして、
−  ＵＥの処理回路は、ホストアプリケーションと関連するクライアントアプリケーションを実行するように設定される。
４５．ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、ＵＥは、グループＡ実施形態のうちのいずれかの実施形態のステップのうちのいずれかのステップを実行する。
４６．ＵＥにおいて、基地局からユーザデータを受信することをさらに含む、前の実施形態の方法。
４７．以下を備えたホストコンピュータを含む通信システム：
−  ユーザ機器（ＵＥ）から基地局への送信に由来するユーザデータを受信するように設定された通信インターフェース、
−  そこで、ＵＥは、無線インターフェース及び処理回路を備え、ＵＥの処理回路は、グループＡ実施形態のうちのいずれかの実施形態のステップのうちのいずれかのステップを実行するように設定される。
４８．ＵＥをさらに含む、前の実施形態の通信システム。
４９．基地局をさらに含む、前の２つの実施形態の通信システムであって、そこで、基地局は、ＵＥと通信するように設定された無線インターフェースと、ＵＥから基地局への送信によって運ばれたユーザデータをホストコンピュータに転送するように設定された通信インターフェースとを含む。
５０．前の３つの実施形態の通信システム、そこで：
−  ホストコンピュータの処理回路は、ホストアプリケーションを実行するように設定され、そして、
−  ＵＥの処理回路は、ホストアプリケーションと関連するクライアントアプリケーションを実行するように設定され、それによってユーザデータを提供する。
５１．前の４つの実施形態の通信システム、そこで：
−  ホストコンピュータの処理回路は、ホストアプリケーションを実行するように設定され、それによって要求データを提供し、そして、
−  ＵＥの処理回路は、ホストアプリケーションと関連するクライアントアプリケーションを実行するように設定され、それによって要求データに応答してユーザデータを提供する。
５２．ホストコンピュータ、基地局及びユーザ機器（ＵＥ）を含む通信システムにおいて実装される方法であって、以下を含む方法：
−  ホストコンピュータにおいて、ＵＥから基地局に送信されるユーザデータを受信すること、そこで、ＵＥは、グループＡ実施形態のうちのいずれかの実施形態のステップのうちのいずれかのステップを実行する。
５３．ＵＥにおいて、基地局にユーザデータを提供することをさらに含む、前の実施形態の方法。
５４．以下をさらに含む、前の２つの実施形態の方法：
−  ＵＥにおいて、クライアントアプリケーションを実行し、それによって送信されることになるユーザデータを提供することと、
−  ホストコンピュータにおいて、クライアントアプリケーションと関連するホストアプリケーションを実行すること。
５５．以下をさらに含む、前の３つの実施形態の方法：
−  ＵＥにおいて、クライアントアプリケーションを実行することと、
−  ＵＥにおいて、クライアントアプリケーションへの入力データを受信することであり、入力データは、クライアントアプリケーションと関連するホストアプリケーションを実行することによって、ホストコンピュータにおいて提供される、こと、
−  そこで、送信されることになるユーザデータは、入力データに応答して、クライアントアプリケーションによって提供される。
５６．ユーザ機器（ＵＥ）から基地局への送信に由来するユーザデータを受信するように設定された通信インターフェースを備えたホストコンピュータを含む通信システム、そこで、基地局は、無線インターフェース及び処理回路を備え、基地局の処理回路は、グループＢ実施形態のうちのいずれかの実施形態のステップのうちのいずれかのステップを実行するように設定される。
５７．基地局をさらに含む、前の実施形態の通信システム。
５８．ＵＥをさらに含む、前の２つの実施形態の通信システム、そこで、ＵＥは、基地局と通信するように設定される。
５９．前の３つの実施形態の通信システム、そこで：
−  ホストコンピュータの処理回路は、ホストアプリケーションを実行するように設定され、
−  ＵＥは、ホストアプリケーションと関連するクライアントアプリケーションを実行するように設定され、それによって、ホストコンピュータによって受信されることになるユーザデータを提供する。
６０．ホストコンピュータ、基地局及びユーザ機器（ＵＥ）を含む通信システムにおいて実装される方法であって、以下を含む方法：
−  ホストコンピュータにおいて、基地局がＵＥから受信した送信に由来するユーザデータを基地局から受信すること、そこで、ＵＥは、グループＡ実施形態のうちのいずれかの実施形態のステップのうちのいずれかのステップを実行する。
６１．基地局において、ＵＥからユーザデータを受信することをさらに含む、前の実施形態の方法。
６２．基地局において、受信されたユーザデータのホストコンピュータへの送信を開始することをさらに含む、前の２つの実施形態の方法。
【０２０７】
付表
３ＧＰＰ  ＴＳＧ−ＲＡＮ  ＷＧ２  ＃１０２      Ｔｄｏｃ  Ｒ２−１８０６８４７
韓国、釜山、２０１８年５月２１日〜２５日
議題項目：９．７．２
ソース：エリクソン
タイトル：５Ｇ−Ｓ−ＴＭＳＩの分割
文書の目的：議論、決議
【０２０８】
序論
Ｒａｎ２＃１０１ｂｉｓ（Ｓａｎｙａ）において、ｍｓｇ３の限定されたサイズを所与として、５Ｇ−Ｓ−ＴＭＳＩの増加した長さをどのように扱うかについて議論がなされた。ｍｓｇ５の後まで、ＣＮによって提供される識別子（５Ｇ−Ｓ−ＴＭＳＩなど）を得ることはさほど重要ではないので、オフライン会議［１］後、以下の合意に達することができた。
2021522742.tif 000003
この前に、ＳＡ２は、５Ｇ−Ｓ−ＴＭＳＩの長さが４８ビットになることを検証した［２］。
この寄与によって５Ｇ−Ｓ−ＴＭＳＩの分割に対処する。
【０２０９】
議論
５Ｇ−Ｓ−ＴＭＳＩは、次式に従う他の一連の識別子から構築される。
＜５Ｇ−Ｓ−ＴＭＳＩ＞：＝＜ＡＭＦセットＩＤ＞＜ＡＭＦポインタ＞＜５Ｇ−ＴＭＳＩ＞
３ＧＰＰ  ＴＳ  ２３．００３では、次のように記載されている。
５Ｇ−ＴＭＳＩは３２ビット長さとする。
ＡＭＦ領域ＩＤは１６ビット長さとする。
ＡＭＦセットＩＤは４ビット長さとする。
ＡＭＦポインタは４ビット長さとする。
しかしながら、これは、４８ビットの５Ｇ−Ｓ−ＴＭＳＩの基礎となるものではなく、代わりに、トリガされたＬＳが［３］に記載されており、以下を含む提案である。
ＡＭＦセットＩＤ  −１２ビット
ＡＭＦポインタ  −４ビット
５Ｇ−ＴＭＳＩ  −３２ビット
獲得すべきＡＳコンテキストがないとき、セットアップ要求において識別子をｍｓｇ３に含める重要な態様は、主に、衝突を回避すること、すなわち競合解消の目的である。［４］では、ｍｓｇ３の識別子が、乱数値又は５Ｇ−Ｓ−ＴＭＳＩの部分のどちらかであり得ることを記載した。
５Ｇ−Ｓ−ＴＭＳＩの分割は競合解消の観点から考慮されるので、ｍｓｇ３の４０ビットフィールドを維持することを提案する。このことは、４０ビット識別子に基づいてすでに計算されているので、競合解消のためにＭＡＣ  ＣＥに対して何も変更する必要がないことを意味する。
提案１  競合解消のためにＭＡＣ  ＣＥを変更する必要を回避するため、ｍｓｇ３の４０ビット識別子を保持することを提案する。
次に対処する問題は、どの４０ビットをｍｓｇ３に含めるべきか、またどのビットをｍｓｇ５に残すべきかである。
以下は、ＭＭＥ及びＡＭＥの両方を含むＧＵＴＩを示す、［３］から取った比較図である。以下の図では、５Ｇ−ＴＭＳＩ及びＭ−ＴＭＳＩは、同じ長さのものであり、ＡＭＦ／ＭＭＥによって割り当てられる。それらに加えて、ＭＭＥコード及びＡＭＦポインタ、並びに場合によってはＡＭＦセットＩＤの部分がある。
2021522742.tif 000004
ＭＭＥコードは、恐らくは非常に多くのＵＥのものに対して同じなので、競合解消の成功には多くは寄与しない可能性が最も高い。競合の成功の観点から、ｍｓｇ３に重要なのは５Ｇ−ＴＭＳＩ及びＭ−ＴＭＳＩである。
提案２  ５Ｇ−ＴＭＳＩはｍｓｇ３の４０ビットの一部であるべきである。
ＮＧ−ＲＡＮノード（ｎｇ−ｅＮＢ、ｇＮＢ）は、ｍｓｇ５の後まで、いずれかの情報をコアネットワークへと送る必要がないので、ｍｓｇ５までＡＭＦ情報を含める必要は特にない。ＮＧ−ＲＡＮノードはいずれにしてもこれを利用しない。しかしながら、４０ビットに保持するため、以下の提案の１つに従うことを提案する。
ａ）ＡＭＦポインタ＋ＡＭＦセットＩＤの４つの最下位ビットをｍｓｇ３に含める。
ｂ）５Ｇ−ＴＭＳＩ＋８ビット乱数値をｍｓｇ３に含める。
上述の選択肢ｂ）は、競合解消を改善するという利点を有し、選択肢ａ）は、ｍｓｇ５で転送するのは８ビット少ないビットになるという利点を有する。
既存のフィールドを分割しないため、また新しい（部分）フィールドを規定するため、上述のｂ）に従い、５Ｇ−ＴＭＳＩに加えて８ビットの乱数列をｍｓｇ３に追加することを提案する。
提案３  ３２ビットの５Ｇ−ＴＭＳＩ＋８ビットの乱数列をｍｓｇ３で送信して、競合解消のためにＵＥを識別する。
提案４  ＡＭＦポインタ及びＡＭＦセットＩＤをｍｓｇ５で送信する。
一部のノーマルテキスト（ボディテキスト）。Ａｌｔ−Ｂを押すことによってこのスタイルを割り当てる。
提案５  自動ナンバリングを用いた提案。Ａｌｔ−Ｐを押すことによってこのタイプを割り当てる。すべての提案のリストは結論のセクションに見出すことができる。
観察１  自動ナンバリングを用いた観察。Ａｌｔ−Ｏを押すことによってこのタイプを割り当てる。すべての観察のリストは結論のセクションに見出すことができる。
【０２１０】
結論
セクション０で、以下の観察を行った。
観察１  自動ナンバリングを用いた観察。Ａｌｔ−Ｏを押すことによってこのタイプを割り当てる。すべての観察のリストは結論のセクションに見出すことができる。
観察２  別の観察。
セクション０の議論に基づいて、以下を提案する。
提案１  競合解消のためにＭＡＣ  ＣＥを変更する必要を回避するため、ｍｓｇ３の４０ビット識別子を保持することを提案する。
提案２  ５Ｇ−ＴＭＳＩはｍｓｇ３の４０ビットの一部であるべきである。
提案３  ３２ビットの５Ｇ−ＴＭＳＩ＋８ビットの乱数列をｍｓｇ３で送信して、競合解消のためにＵＥを識別する。
提案４  ＡＭＦポインタ及びＡＭＦセットＩＤをｍｓｇ５で送信する。
提案５  自動ナンバリングを用いた提案。Ａｌｔ−Ｐを押すことによってこのタイプを割り当てる。すべての提案のリストは結論のセクションに見出すことができる。
【０２１１】
参考文献
[1]   R2-1806475, Offline discussion report on [101#10][LTE/5GC]5G-S-TMSI size in LTE connected to 5GC,3GPP TSG-RAN WG2 #101Bis,Sanya,China,16th-20thApril 2018
[2]   S2-184501/R2-1806448, Reply LS on 5G-S-TMSI, SA WG2 Meeting #127, Sanya, China,16-20 April, 2018
[3]   S2-183160,5GS Temporary Identifiers and mapping - solution proposal, Ericsson, SA WG2 Meeting #127, Sanya, China 16-20 April,2018
[4]   R2-1804858, Impact from 48 bit 5G-S-TMSI (LTE and NR),3GPP TSG-RAN WG2 #101-Bis, Sanya, P.R. of China,16th-20th April 2018
【０２１２】
略語
以下の略語の少なくとも一部が本開示で使用されることがある。略語の間に不一致がある場合、上記でどのように使用されているかを優先するものとする。以下で複数回列挙されている場合、最初の列挙をその後の列挙よりも優先するものとする。
１×ＲＴＴ  ＣＤＭＡ２０００  １×無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加算性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  ＣＰＩＣＨのチップ当たり受信エネルギーをバンドの電力密度で割ったもの
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンタ
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  追試験
ＧＥＲＡＮ  ＧＳＭ  ＥＤＧＥ無線アクセスネットワーク
ｇＮＢ  ＮＲの基地局
ＧＮＳＳ  全地球航法衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  ロングタームエボリューション
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブ試験の最小化
ＭＩＢ  マスタ情報ブロック
ＭＭＥ  モビリティ管理エンティティ
ＭＳＣ  移動交換局
ＮＰＤＣＣＨ  狭帯域物理ダウンリンク制御チャネル
ＮＲ  新無線
ＯＣＮＧ  ＯＦＤＭＡチャネル雑音発生器
ＯＦＤＭ  直交周波数分割多重
ＯＦＤＭＡ  直交周波数分割多元接続
ＯＳＳ  動作サポートシステム
ＯＴＤＯＡ  観察される到達時間差
Ｏ＆Ｍ  動作及びメンテナンス
ＰＢＣＨ  物理ブロードキャストチャネル
Ｐ−ＣＣＰＣＨ  プライマリ共通制御物理チャネル
ＰＣｅｌｌ  プライマリセル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッドＡＲＱインジケータチャネル
ＰＬＭＮ  公衆携帯電話網
ＰＭＩ  プリコーダマトリクスインジケータ
ＰＲＡＣＨ  物理ランダムアクセスチャネル
ＰＲＳ  測位参照信号
ＰＳＳ  プライマリ同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直角位相振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力又は参照信号受信電力
ＲＳＲＱ  参照信号受信品質又は参照シンボル受信品質
ＲＳＳＩ  受信信号強度インジケータ
ＲＳＴＤ  参照信号時間差
ＳＣＨ  同期チャネル
ＳＣｅｌｌ  セカンダリセル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号雑音比
ＳＯＮ  自己最適化ネットワーク
ＳＳ  同期信号
ＳＳＳ  セカンダリ同期信号
ＴＤＤ  時分割複信
ＴＤＯＡ  到達時間差
ＴＯＡ  到達時間
ＴＳＳ  ターシャリ同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  ユニバーサル加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  広帯域ＣＤＭＡ
ＷＬＡＮ  ワイドローカルエリアネットワーク
【図１】
2021522742.tif 000005
【図２Ａ】
2021522742.tif 000006
【図２Ｂ】
2021522742.tif 000007
【図３】
2021522742.tif 000008
【図４Ａ】
2021522742.tif 000009
【図４Ｂ】
2021522742.tif 000010
【図５】
2021522742.tif 000011
【図６】
2021522742.tif 000012
【図７】
2021522742.tif 000013
【図８】
2021522742.tif 000014
【図９】
2021522742.tif 000015
【図１０】
2021522742.tif 000016
【図１１】
2021522742.tif 000017
【図１２】
2021522742.tif 000018
【図１３】
2021522742.tif 000019
【図１４】
2021522742.tif 000020
【図１５】
2021522742.tif 000021
【図１６】
2021522742.tif 000022
【図１７】
2021522742.tif 000023
【図１８】
2021522742.tif 000024
【図１９】
2021522742.tif 000025
【図２０】
2021522742.tif 000026
【国際調査報告】
2021522742.tif 000027
2021522742.tif 000028